(57)【特許請求の範囲】
【請求項１】
貨幣を投入するための投入部と、
前記投入部から送られた貨幣を収納するとともに収納されている貨幣を繰出可能な貨幣収納部と、
貨幣を外部に払い出す払出部と、
前記貨幣収納部に収納される前の貨幣を一時的に保留する一時保留部と、
出金処理に係る指令を受け付ける出金処理指令受付手段と、
前記出金処理指令受付手段により出金処理に係る指令が受け付けられたときに、前記一時保留部から前記貨幣収納部に貨幣を移し替える収納処理を行っているか否かにかかわらず、前記貨幣収納部から貨幣を繰り出して前記払出部により払い出すような出金処理を行うことができるよう各構成部材の制御を行う制御部と、
前記貨幣収納部に収納されている貨幣の金種毎の数を記憶する記憶部と、
を備え、
前記制御部は、前記出金処理指令受付手段により出金処理に係る指令が受け付けられたときに、前記出金処理により出金されるべき貨幣の金種毎の数のうち少なくとも１つの金種の数が、前記記憶部に記憶されている、前記貨幣収納部に収納されている貨幣の当該金種の数よりも多い場合に、前記収納処理を中断して前記出金処理を行うか否かを操作者に選択させるようになっており、
前記制御部は、前記収納処理を中断して前記出金処理を行うことを操作者が選択した場合には、出金されるべき貨幣の出金方法を、少なくとも（ａ）出金されるべき貨幣を全て手払いで払い出すこと、および（ｂ）出金処理を取り消すことの中から操作者に選択させるようになっている、貨幣処理装置。
【請求項２】
前記制御部は、前記収納処理を中断して前記出金処理を行うか否かを操作者に選択させる際に、前記収納処理が終了するまでの時間を報知する、請求項１記載の貨幣処理装置。
【請求項３】
前記収納処理を中断して前記出金処理を行うことを操作者が選択しなかった場合において、前記収納処理が完了したときに前記出金処理により出金されるべき貨幣が全て前記貨幣収納部に収納されていない場合には、前記貨幣収納部に貨幣を装填する割込装填処理を行うことを選択することができるようになっている、請求項１または２記載の貨幣処理装置。
【請求項４】
貨幣を投入するための投入部と、
前記投入部から送られた貨幣を収納するとともに収納されている貨幣を繰出可能な貨幣収納部と、
貨幣を外部に払い出す払出部と、
前記貨幣収納部に収納される前の貨幣を一時的に保留する一時保留部と、
出金処理に係る指令を受け付ける出金処理指令受付手段と、
前記出金処理指令受付手段により出金処理に係る指令が受け付けられたときに、前記一時保留部から前記貨幣収納部に貨幣を移し替える収納処理を行っているか否かにかかわらず、前記貨幣収納部から貨幣を繰り出して前記払出部により払い出すような出金処理を行うことができるよう各構成部材の制御を行う制御部と、
前記貨幣収納部に収納されている貨幣の金種毎の数を記憶する記憶部と、
を備え、
前記制御部は、前記出金処理指令受付手段により出金処理に係る指令が受け付けられたときに、前記出金処理により出金されるべき貨幣の金種毎の数のうち少なくとも１つの金種の数が、前記記憶部に記憶されている、前記貨幣収納部に収納されている貨幣の当該金種の数および前記収納処理により前記貨幣収納部に移し替えられるべき貨幣の当該金種の数の合計よりも多い場合に、出金されるべき貨幣の出金方法を、少なくとも（ａ）出金されるべき貨幣を全て手払いで払い出すこと、および（ｂ）出金処理を取り消すことの中から操作者に選択させるようになっている、貨幣処理装置。
【請求項５】
前記制御部は、前記出金処理指令受付手段により出金処理に係る指令が受け付けられたときに、前記出金処理により出金されるべき貨幣の金種毎の数が、出金されるべき全ての金種について、前記記憶部に記憶されている、前記貨幣収納部に収納されている貨幣の金種毎の数以下である場合に、前記収納処理を中断して前記出金処理を行う、請求項１乃至４のいずれか一項に記載の貨幣処理装置。
【請求項６】
貨幣を投入するための投入部、前記投入部から送られた貨幣を収納するとともに収納されている貨幣を繰出可能な貨幣収納部、貨幣を外部に払い出す払出部、前記貨幣収納部に収納される前の貨幣を一時的に保留する一時保留部を有する貨幣処理装置と、
前記貨幣処理装置とは別に設けられ、当該貨幣処理装置の管理を行う管理装置と、
を備えた貨幣処理システムであって、
出金処理に係る指令を受け付ける出金処理指令受付手段と、
前記出金処理指令受付手段により出金処理に係る指令が受け付けられたときに、前記一時保留部から前記貨幣収納部に貨幣を移し替える収納処理を行っているか否かにかかわらず、前記貨幣収納部から貨幣を繰り出して前記払出部により払い出すような出金処理を行うことができるよう前記貨幣処理装置の各構成部材の制御を行う制御部と、
前記貨幣収納部に収納されている貨幣の金種毎の数を記憶する記憶部と、
を備え、
前記制御部は、前記出金処理指令受付手段により出金処理に係る指令が受け付けられたときに、前記出金処理により出金されるべき貨幣の金種毎の数のうち少なくとも１つの金種の数が、前記記憶部に記憶されている、前記貨幣収納部に収納されている貨幣の当該金種の数よりも多い場合に、前記収納処理を中断して前記出金処理を行うか否かを操作者に選択させるようになっており、
前記制御部は、前記収納処理を中断して前記出金処理を行うことを操作者が選択した場合には、出金されるべき貨幣の出金方法を、少なくとも（ａ）出金されるべき貨幣を全て手払いで払い出すこと、および（ｂ）出金処理を取り消すことの中から操作者に選択させるようになっている、貨幣処理システム。
【請求項７】
貨幣を投入するための投入部、前記投入部から送られた貨幣を収納するとともに収納されている貨幣を繰出可能な貨幣収納部、貨幣を外部に払い出す払出部、前記貨幣収納部に収納される前の貨幣を一時的に保留する一時保留部を有する貨幣処理装置と、
前記貨幣処理装置とは別に設けられ、当該貨幣処理装置の管理を行う管理装置と、
を備えた貨幣処理システムであって、
出金処理に係る指令を受け付ける出金処理指令受付手段と、
前記出金処理指令受付手段により出金処理に係る指令が受け付けられたときに、前記一時保留部から前記貨幣収納部に貨幣を移し替える収納処理を行っているか否かにかかわらず、前記貨幣収納部から貨幣を繰り出して前記払出部により払い出すような出金処理を行うことができるよう前記貨幣処理装置の各構成部材の制御を行う制御部と、
前記貨幣収納部に収納されている貨幣の金種毎の数を記憶する記憶部と、
を備え、
前記制御部は、前記出金処理指令受付手段により出金処理に係る指令が受け付けられたときに、前記出金処理により出金されるべき貨幣の金種毎の数のうち少なくとも１つの金種の数が、前記記憶部に記憶されている、前記貨幣収納部に収納されている貨幣の当該金種の数および前記収納処理により前記貨幣収納部に移し替えられるべき貨幣の当該金種の数の合計よりも多い場合に、出金されるべき貨幣の出金方法を、少なくとも（ａ）出金されるべき貨幣を全て手払いで払い出すこと、および（ｂ）出金処理を取り消すことの中から操作者に選択させるようになっている、貨幣処理システム。
【請求項８】
投入部から送られた貨幣を収納するとともに収納されている貨幣を繰出可能な貨幣収納部と、前記貨幣収納部に収納される前の貨幣を一時的に保留する一時保留部とを備えた貨幣処理装置による貨幣処理方法であって、
前記貨幣処理装置が出金処理に係る指令を受け付ける工程と、
前記貨幣処理装置において出金処理に係る指令が受け付けられたときに、一時保留部から貨幣収納部に貨幣を移し替える収納処理を行っているか否かにかかわらず、貨幣収納部から貨幣を繰り出して払い出すような出金処理を前記貨幣処理装置が行う工程と、
を備え、
前記貨幣処理装置において出金処理に係る指令が受け付けられたときに、前記出金処理により出金されるべき貨幣の金種毎の数のうち少なくとも１つの金種の数が、前記貨幣収納部に収納されている貨幣の当該金種の数よりも多い場合に、前記貨幣処理装置において前記収納処理を中断して前記出金処理を行うか否かを操作者に選択させるようになっており、
前記収納処理を中断して前記出金処理を行うことを操作者が選択した場合には、前記貨幣処理装置において、出金されるべき貨幣の出金方法を、少なくとも（ａ）出金されるべき貨幣を全て手払いで払い出すこと、および（ｂ）出金処理を取り消すことの中から操作者に選択させるようになっている、貨幣処理方法。
【請求項９】
投入部から送られた貨幣を収納するとともに収納されている貨幣を繰出可能な貨幣収納部と、前記貨幣収納部に収納される前の貨幣を一時的に保留する一時保留部とを備えた貨幣処理装置による貨幣処理方法であって、
前記貨幣処理装置が出金処理に係る指令を受け付ける工程と、
前記貨幣処理装置において出金処理に係る指令が受け付けられたときに、一時保留部から貨幣収納部に貨幣を移し替える収納処理を行っているか否かにかかわらず、貨幣収納部から貨幣を繰り出して払い出すような出金処理を前記貨幣処理装置が行う工程と、
を備え、
出金処理に係る指令が受け付けられたときに、前記出金処理により出金されるべき貨幣の金種毎の数のうち少なくとも１つの金種の数が、前記貨幣収納部に収納されている貨幣の当該金種の数および前記収納処理により前記貨幣収納部に移し替えられるべき貨幣の当該金種の数の合計よりも多い場合に、前記貨幣処理装置において、出金されるべき貨幣の出金方法を、少なくとも（ａ）出金されるべき貨幣を全て手払いで払い出すこと、および（ｂ）出金処理を取り消すことの中から操作者に選択させるようになっている、貨幣処理方法。
【発明の詳細な説明】
【技術分野】
【０００１】
本発明は、紙幣や硬貨等の貨幣の入金処理や出金処理等の様々な処理を行う貨幣処理装置、このような貨幣処理装置を備えた貨幣処理システムおよびこのような貨幣処理装置による貨幣処理方法に関する。
【背景技術】
【０００２】
紙幣の入金処理や出金処理等の様々な処理を行う紙幣処理装置として従来から様々なタイプのもの知られている（例えば、特許文献１等参照）。特許文献１に開示される紙幣処理装置では、紙幣の入金処理を行う際に、投入部により筐体の内部に投入された紙幣は識別部により識別された後に一時保留部に一時的に保留され、投入部により全ての紙幣が筐体の内部に投入されて一時保留部に送られた後、操作者が入金確定の指令を入力すると一時保留部から紙幣が繰り出されて金種別収納部に金種毎に移し替えられるようになっている。また、一時保留部から金種別収納部に紙幣を移し替える際に、ある金種別収納部がフル状態となっている場合には、一時保留部から繰り出された紙幣は金種混合収納部に移し替えられるようになる。
【先行技術文献】
【特許文献】
【０００３】
【特許文献１】特許第５４７４４６１号
【発明の概要】
【発明が解決しようとする課題】
【０００４】
特許文献１に開示されるような従来の貨幣処理装置では、一時保留部から金種別収納部に紙幣を金種毎に移し替える収納処理が行われている間は、入金処理を行った操作者または別の操作者は貨幣の出金処理を行うことができず、貨幣の出金処理を行おうとする操作者は収納処理が終了するまで待たなければならないため不便であるという問題があった。
【０００５】
本発明は、このような点を考慮してなされたものであり、出金処理に係る指令が受け付けられたときに、一時保留部から貨幣収納部に貨幣を移し替える収納処理を行っているか否かにかかわらず出金処理を行うことができるため、貨幣の出金処理を行おうとする操作者は収納処理が終了するまで待つ必要がなくなり、操作者にとっての利便性を向上させることができる貨幣処理装置、貨幣処理システムおよび貨幣処理方法を提供することを目的とする。
【課題を解決するための手段】
【０００６】
本発明の貨幣処理装置は、貨幣を投入するための投入部と、前記投入部から送られた貨幣を収納するとともに収納されている貨幣を繰出可能な貨幣収納部と、貨幣を外部に払い出す払出部と、前記貨幣収納部に収納される前の貨幣を一時的に保留する一時保留部と、出金処理に係る指令を受け付ける出金処理指令受付手段と、前記出金処理指令受付手段により出金処理に係る指令が受け付けられたときに、前記一時保留部から前記貨幣収納部に貨幣を移し替える収納処理を行っているか否かにかかわらず、前記貨幣収納部から貨幣を繰り出して前記払出部により払い出すような出金処理を行うことができるよう各構成部材の制御を行う制御部と、前記貨幣収納部に収納されている貨幣の金種毎の数を記憶する記憶部と、を備え、前記制御部は、前記出金処理指令受付手段により出金処理に係る指令が受け付けられたときに、前記出金処理により出金されるべき貨幣の金種毎の数のうち少なくとも１つの金種の数が、前記記憶部に記憶されている、前記貨幣収納部に収納されている貨幣の当該金種の数よりも多い場合に、前記収納処理を中断して前記出金処理を行うか否かを操作者に選択させるようになっており、前記制御部は、前記収納処理を中断して前記出金処理を行うことを操作者が選択した場合には、出金されるべき貨幣の出金方法を、少なくとも（ａ）出金されるべき貨幣を全て手払いで払い出すこと、および（ｂ）出金処理を取り消すことの中から操作者に選択させるようになっていることを特徴とする。
【０００７】
このような貨幣処理装置によれば、出金処理に係る指令が受け付けられたときに、一時保留部から貨幣収納部に貨幣を移し替える収納処理を行っているか否かにかかわらず出金処理を行うことができるため、貨幣の出金処理を行おうとする操作者は収納処理が終了するまで待つ必要がなくなり、操作者にとっての利便性を向上させることができる。
【０００８】
本発明の貨幣処理装置においては、前記制御部は、前記収納処理を中断して前記出金処理を行うか否かを操作者に選択させる際に、前記収納処理が終了するまでの時間を報知してもよい。また、前記収納処理を中断して前記出金処理を行うことを操作者が選択しなかった場合において、前記収納処理が完了したときに前記出金処理により出金されるべき貨幣が全て前記貨幣収納部に収納されていない場合には、前記貨幣収納部に貨幣を装填する割込装填処理を行うことを選択することができるようになっていてもよい。
【０００９】
本発明の貨幣処理装置は、貨幣を投入するための投入部と、前記投入部から送られた貨幣を収納するとともに収納されている貨幣を繰出可能な貨幣収納部と、貨幣を外部に払い出す払出部と、前記貨幣収納部に収納される前の貨幣を一時的に保留する一時保留部と、出金処理に係る指令を受け付ける出金処理指令受付手段と、前記出金処理指令受付手段により出金処理に係る指令が受け付けられたときに、前記一時保留部から前記貨幣収納部に貨幣を移し替える収納処理を行っているか否かにかかわらず、前記貨幣収納部から貨幣を繰り出して前記払出部により払い出すような出金処理を行うことができるよう各構成部材の制御を行う制御部と、前記貨幣収納部に収納されている貨幣の金種毎の数を記憶する記憶部と、を備え、前記制御部は、前記出金処理指令受付手段により出金処理に係る指令が受け付けられたときに、前記出金処理により出金されるべき貨幣の金種毎の数のうち少なくとも１つの金種の数が、前記記憶部に記憶されている、前記貨幣収納部に収納されている貨幣の当該金種の数および前記収納処理により前記貨幣収納部に移し替えられるべき貨幣の当該金種の数の合計よりも多い場合に、出金されるべき貨幣の出金方法を、少なくとも（ａ）出金されるべき貨幣を全て手払いで払い出すこと、および（ｂ）出金処理を取り消すことの中から操作者に選択させるようになっていることを特徴とする。
【００１０】
本発明の貨幣処理装置においては、前記制御部は、前記出金処理指令受付手段により出金処理に係る指令が受け付けられたときに、前記出金処理により出金されるべき貨幣の金種毎の数が、出金されるべき全ての金種について、前記記憶部に記憶されている、前記貨幣収納部に収納されている貨幣の金種毎の数以下である場合に、前記収納処理を中断して前記出金処理を行うようになっていてもよい。
【００１３】
本発明の貨幣処理システムは、貨幣を投入するための投入部、前記投入部から送られた貨幣を収納するとともに収納されている貨幣を繰出可能な貨幣収納部、貨幣を外部に払い出す払出部、前記貨幣収納部に収納される前の貨幣を一時的に保留する一時保留部を有する貨幣処理装置と、前記貨幣処理装置とは別に設けられ、当該貨幣処理装置の管理を行う管理装置と、を備えた貨幣処理システムであって、出金処理に係る指令を受け付ける出金処理指令受付手段と、前記出金処理指令受付手段により出金処理に係る指令が受け付けられたときに、前記一時保留部から前記貨幣収納部に貨幣を移し替える収納処理を行っているか否かにかかわらず、前記貨幣収納部から貨幣を繰り出して前記払出部により払い出すような出金処理を行うことができるよう前記貨幣処理装置の各構成部材の制御を行う制御部と、前記貨幣収納部に収納されている貨幣の金種毎の数を記憶する記憶部と、を備え、前記制御部は、前記出金処理指令受付手段により出金処理に係る指令が受け付けられたときに、前記出金処理により出金されるべき貨幣の金種毎の数のうち少なくとも１つの金種の数が、前記記憶部に記憶されている、前記貨幣収納部に収納されている貨幣の当該金種の数よりも多い場合に、前記収納処理を中断して前記出金処理を行うか否かを操作者に選択させるようになっており、前記制御部は、前記収納処理を中断して前記出金処理を行うことを操作者が選択した場合には、出金されるべき貨幣の出金方法を、少なくとも（ａ）出金されるべき貨幣を全て手払いで払い出すこと、および（ｂ）出金処理を取り消すことの中から操作者に選択させるようになっていることを特徴とする。また、本発明の貨幣処理システムは、貨幣を投入するための投入部、前記投入部から送られた貨幣を収納するとともに収納されている貨幣を繰出可能な貨幣収納部、貨幣を外部に払い出す払出部、前記貨幣収納部に収納される前の貨幣を一時的に保留する一時保留部を有する貨幣処理装置と、前記貨幣処理装置とは別に設けられ、当該貨幣処理装置の管理を行う管理装置と、を備えた貨幣処理システムであって、出金処理に係る指令を受け付ける出金処理指令受付手段と、前記出金処理指令受付手段により出金処理に係る指令が受け付けられたときに、前記一時保留部から前記貨幣収納部に貨幣を移し替える収納処理を行っているか否かにかかわらず、前記貨幣収納部から貨幣を繰り出して前記払出部により払い出すような出金処理を行うことができるよう前記貨幣処理装置の各構成部材の制御を行う制御部と、前記貨幣収納部に収納されている貨幣の金種毎の数を記憶する記憶部と、を備え、前記制御部は、前記出金処理指令受付手段により出金処理に係る指令が受け付けられたときに、前記出金処理により出金されるべき貨幣の金種毎の数のうち少なくとも１つの金種の数が、前記記憶部に記憶されている、前記貨幣収納部に収納されている貨幣の当該金種の数および前記収納処理により前記貨幣収納部に移し替えられるべき貨幣の当該金種の数の合計よりも多い場合に、出金されるべき貨幣の出金方法を、少なくとも（ａ）出金されるべき貨幣を全て手払いで払い出すこと、および（ｂ）出金処理を取り消すことの中から操作者に選択させるようになっていることを特徴とする。
【００１４】
このような貨幣処理システムによれば、出金処理に係る指令が受け付けられたときに、貨幣処理装置において一時保留部から貨幣収納部に貨幣を移し替える収納処理を行っているか否かにかかわらず出金処理を行うことができるため、貨幣の出金処理を行おうとする操作者は収納処理が終了するまで待つ必要がなくなり、操作者にとっての利便性を向上させることができる。
【００１６】
本発明の貨幣処理方法は、投入部から送られた貨幣を収納するとともに収納されている貨幣を繰出可能な貨幣収納部と、前記貨幣収納部に収納される前の貨幣を一時的に保留する一時保留部とを備えた貨幣処理装置による貨幣処理方法であって、前記貨幣処理装置が出金処理に係る指令を受け付ける工程と、前記貨幣処理装置において出金処理に係る指令が受け付けられたときに、一時保留部から貨幣収納部に貨幣を移し替える収納処理を行っているか否かにかかわらず、貨幣収納部から貨幣を繰り出して払い出すような出金処理を前記貨幣処理装置が行う工程と、を備え、前記貨幣処理装置において出金処理に係る指令が受け付けられたときに、前記出金処理により出金されるべき貨幣の金種毎の数のうち少なくとも１つの金種の数が、前記貨幣収納部に収納されている貨幣の当該金種の数よりも多い場合に、前記貨幣処理装置において前記収納処理を中断して前記出金処理を行うか否かを操作者に選択させるようになっており、前記収納処理を中断して前記出金処理を行うことを操作者が選択した場合には、前記貨幣処理装置において、出金されるべき貨幣の出金方法を、少なくとも（ａ）出金されるべき貨幣を全て手払いで払い出すこと、および（ｂ）出金処理を取り消すことの中から操作者に選択させるようになっていることを特徴とする。また、本発明の貨幣処理方法は、投入部から送られた貨幣を収納するとともに収納されている貨幣を繰出可能な貨幣収納部と、前記貨幣収納部に収納される前の貨幣を一時的に保留する一時保留部とを備えた貨幣処理装置による貨幣処理方法であって、前記貨幣処理装置が出金処理に係る指令を受け付ける工程と、前記貨幣処理装置において出金処理に係る指令が受け付けられたときに、一時保留部から貨幣収納部に貨幣を移し替える収納処理を行っているか否かにかかわらず、貨幣収納部から貨幣を繰り出して払い出すような出金処理を前記貨幣処理装置が行う工程と、を備え、出金処理に係る指令が受け付けられたときに、前記出金処理により出金されるべき貨幣の金種毎の数のうち少なくとも１つの金種の数が、前記貨幣収納部に収納されている貨幣の当該金種の数および前記収納処理により前記貨幣収納部に移し替えられるべき貨幣の当該金種の数の合計よりも多い場合に、前記貨幣処理装置において、出金されるべき貨幣の出金方法を、少なくとも（ａ）出金されるべき貨幣を全て手払いで払い出すこと、および（ｂ）出金処理を取り消すことの中から操作者に選択させるようになっていることを特徴とする。
【００１７】
このような貨幣処理方法によれば、出金処理に係る指令が受け付けられたときに、一時保留部から貨幣収納部に貨幣を移し替える収納処理を行っているか否かにかかわらず出金処理を行うことができるため、貨幣の出金処理を行おうとする操作者は収納処理が終了するまで待つ必要がなくなり、操作者にとっての利便性を向上させることができる。
【発明の効果】
【００１８】
本発明の貨幣処理装置、貨幣処理システムおよび貨幣処理方法によれば、出金処理に係る指令が受け付けられたときに、一時保留部から貨幣収納部に貨幣を移し替える収納処理を行っているか否かにかかわらず出金処理を行うことができるため、貨幣の出金処理を行おうとする操作者は収納処理が終了するまで待つ必要がなくなり、操作者にとっての利便性を向上させることができる。
【図面の簡単な説明】
【００１９】
【図１】本発明の実施の形態による貨幣入出金機の外観を示す斜視図である。
【図２】図１に示す貨幣入出金機における紙幣入出金装置を右側方から見たときの内部構成を概略的に示す概略構成図である。
【図３】図１に示す貨幣入出金機における硬貨入出金装置を左側方から見たときの内部構成を概略的に示す概略構成図である。
【図４】図１に示す貨幣入出金機における制御系の構成を示す機能ブロック図である。
【図５】図１に示す貨幣入出金機の紙幣入出金装置においてバラ紙幣の割込出金処理が行われる際の動作を示すフローチャートである。
【図６】図１に示す貨幣入出金機の紙幣入出金装置においてバラ紙幣の割込出金処理が行われる際の動作を示すフローチャートである。
【図７】（ａ）（ｂ）は、図１に示す貨幣入出金機の紙幣入出金装置においてバラ紙幣の入金処理が行われる際のバラ紙幣の搬送経路を示す図であり、（ｃ）は、図１に示す貨幣入出金機の紙幣入出金装置においてバラ紙幣の割込出金処理が行われる際のバラ紙幣の搬送経路を示す図である。
【図８】図１に示す貨幣入出金機の紙幣入出金装置においてバラ紙幣の割込出金処理が行われる際に操作表示部に表示される画面を示す図である。
【図９】図１に示す貨幣入出金機の紙幣入出金装置においてバラ紙幣の割込出金処理が行われる際に操作表示部に表示される画面を示す図である。
【図１０】図１に示す貨幣入出金機の紙幣入出金装置においてバラ紙幣の割込出金処理が行われる際に操作表示部に表示される画面を示す図である。
【図１１】図１に示す貨幣入出金機の紙幣入出金装置においてバラ紙幣の割込出金処理が行われる際に操作表示部に表示される画面を示す図である。
【発明を実施するための形態】
【００２０】
以下、図面を参照して本発明の実施の形態について説明する。図１乃至図１１は、本実施の形態による貨幣入出金機を示す図である。このうち、図１は、本実施の形態による貨幣入出金機の外観を示す斜視図であり、図２および図３は、それぞれ、図１に示す貨幣入出金機における紙幣入出金装置および硬貨入出金装置の内部構成を概略的に示す概略構成図である。また、図４は、図１に示す貨幣入出金機における制御系の構成を示す機能ブロック図であり、図５および図６は、図１に示す貨幣入出金機の紙幣入出金装置においてバラ紙幣の割込出金処理が行われる際の動作を示すフローチャートである。また、図７（ａ）（ｂ）は、図１に示す貨幣入出金機の紙幣入出金装置においてバラ紙幣の入金処理が行われる際のバラ紙幣の搬送経路を示す図であり、図７（ｃ）は、図１に示す貨幣入出金機の紙幣入出金装置においてバラ紙幣の割込出金処理が行われる際のバラ紙幣の搬送経路を示す図である。また、図８乃至図１１は、それぞれ、図１に示す貨幣入出金機の紙幣入出金装置においてバラ紙幣の割込出金処理が行われる際に操作表示部に表示される画面を示す図である。
【００２１】
図１に示すように、本実施の形態による貨幣入出金機１は、紙幣入出金装置１０および硬貨入出金装置１１０が左右に並ぶよう配置されることにより構成されている。ここで、本実施の形態による貨幣入出金機１における紙幣入出金装置１０は、バラ紙幣の入金処理や出金処理を行うことができるとともに、機体内で所定枚数（例えば、１００枚）のバラ紙幣から帯封紙幣を作成したりこの作成された帯封紙幣の出金処理を行ったりすることができるようになっている。また、本実施の形態による貨幣入出金機１における硬貨入出金装置１１０は、バラ硬貨の入金処理や出金処理を行うことができるとともに、機体内で所定枚数（例えば、５０枚）のバラ硬貨に紙やフィルム等の包装媒体を巻くことにより包装硬貨を作成したりこの作成された包装硬貨の出金処理を行ったりすることができるようになっている。このような貨幣入出金機１は、例えば、銀行等の金融機関（より詳細には、金融機関の事務所スペース）に設置され、金融機関の行員等により利用されるようになっている。
【００２２】
本実施の形態による貨幣入出金機１における紙幣入出金装置１０の構成について図１および図２を用いて説明する。図１および図２に示すように、紙幣入出金装置１０は略直方体形状の筐体１２を有しており、この筐体１２の前面には、筐体１２の外部から内部にバラ紙幣を入金するための投入部１４、筐体１２の内部から外部にバラ紙幣を出金するためのバラ紙幣投出部２４、筐体１２の内部から外部に帯封紙幣を出金するための帯封紙幣投出部４８がそれぞれ設けられている。なお、図２における筐体１２の左側の側面が紙幣入出金装置１０の前面側（すなわち、図１に示すように紙幣入出金装置１０を手前側から見たときの正面側）となっており、図２における右方向が筐体１２の奥行き方向となっている。
【００２３】
図１に示すように、投入部１４の前面は筐体１２の外部に開口しており、操作者はこの開口を介して投入部１４の内部にアクセスする（具体的には、投入部１４の内部に手を入れる）ことができるようになっている。このことにより、操作者は投入部１４の内部にバラ紙幣の束を投入することができるようになる。
【００２４】
一方、バラ紙幣投出部２４および帯封紙幣投出部４８にはそれぞれシャッター２４ａ、４８ａが設けられており、これらのシャッター２４ａ、４８ａは、バラ紙幣投出部２４の前面に面する開口（すなわち、バラ紙幣の出金口）や帯封紙幣投出部４８の前面に面する開口（すなわち、帯封紙幣の出金口）をそれぞれ開閉するようになっている。そして、シャッター２４ａ、４８ａによりバラ紙幣投出部２４や帯封紙幣投出部４８の開口が開かれると、操作者はバラ紙幣投出部２４や帯封紙幣投出部４８の内部にそれぞれアクセスする（具体的には、バラ紙幣投出部２４や帯封紙幣投出部４８の内部に手を入れる）ことができるようになり、当該操作者はバラ紙幣投出部２４や帯封紙幣投出部４８に集積されているバラ紙幣や帯封紙幣を筐体１２の内部から外部に取り出すことができるようになる。これらのシャッター２４ａ、４８ａはシャッター駆動部２４ｂ、４８ｂ（図４参照）によりそれぞれ駆動されるようになっている。
【００２５】
なお、本実施の形態による紙幣入出金装置１０では、バラ紙幣投出部２４は、バラ紙幣の出金処理が行われる際にバラ紙幣を筐体１２の外部に排出するための出金部として機能するとともに、入金処理時に後述する識別部２０により識別することができなかったバラ紙幣や、識別部２０により正常なバラ紙幣ではないと識別されたバラ紙幣を筐体１２の外部に排出するための入金リジェクト部として機能するようになっている。
【００２６】
また、図２に示すように、筐体１２の前面におけるバラ紙幣投出部２４の下方には、紙幣入出金装置１０においてバラ紙幣の出金処理が行われる際にバラ紙幣投出部２４により筐体１２の外部に出金すべきではないと判断されたバラ紙幣が集積される出金リジェクト部２６が設けられている。出金リジェクト部２６の前面は筐体１２の外部に開口しておらず、操作者は筐体１２から紙幣入出金装置１０の本体部分を手前側に引き出さない限りこの出金リジェクト部２６にアクセスすることができないようになっている。
【００２７】
図２に示すように、投入部１４には、当該投入部１４に投入されたバラ紙幣を１枚ずつ筐体１２の内部に繰り出すための繰出部１６が設けられている。また、紙幣入出金装置１０の筐体１２の内部には、当該筐体１２内でバラ紙幣を１枚ずつ搬送する搬送部１８が設けられており、繰出部１６により投入部１４から繰り出されたバラ紙幣は搬送部１８により筐体１２内で搬送されるようになっている。また、搬送部１８には識別部２０が設けられており、搬送部１８により搬送されるバラ紙幣は識別部２０によりその金種、真偽、表裏、正損、新旧（新券／流通券、Ｅ券／Ｄ券、等）、搬送状態等が識別されるようになっている。また、搬送部１８には表裏反転部２２が設けられており、識別部２０により識別されたバラ紙幣は表裏反転部２２によりその表裏が揃うように反転させられるようになっている。
【００２８】
また、図２に示すように、搬送部１８には入金一時保留部３０、混合バラ紙幣収納部３２および複数（図２に示す例では３つ）の金種別バラ紙幣収納部３４がそれぞれ接続されており、搬送部１８からこれらの入金一時保留部３０、混合バラ紙幣収納部３２および各金種別バラ紙幣収納部３４にバラ紙幣が送られるようになっている。ここで、入金一時保留部３０、混合バラ紙幣収納部３２および各金種別バラ紙幣収納部３４にはそれぞれ図２における上下方向に移動可能となっているステージ３０ａ、３２ａ、３４ａが設けられており、これらのステージ３０ａ、３２ａ、３４ａ上でバラ紙幣が積層状態で集積されるようになっている。
【００２９】
また、入金一時保留部３０の上端部の近傍には紙幣繰出繰入部３０ｂが設けられており、当該入金一時保留部３０に一時的に保留されているバラ紙幣は紙幣繰出繰入部３０ｂにより１枚ずつ搬送部１８に繰り出されるようになっている。また、紙幣繰出繰入部３０ｂにより搬送部１８から入金一時保留部３０にバラ紙幣が１枚ずつ繰り入れられるようになっている。ここで、入金一時保留部３０には、バラ紙幣の入金処理において識別部２０により識別されたバラ紙幣が混合バラ紙幣収納部３２や各金種別バラ紙幣収納部３４に収納される前に一時的に保留されるようになっている。
【００３０】
また、混合バラ紙幣収納部３２の上端部の近傍には紙幣繰入部３２ｂが設けられており、搬送部１８からこの紙幣繰入部３２ｂにより混合バラ紙幣収納部３２にバラ紙幣が１枚ずつ繰り入れられるようになっている。ここで、混合バラ紙幣収納部３２には、各金種別バラ紙幣収納部３４に割り当てられていない金種のバラ紙幣（例えば、二千円紙幣）や損券、ならびに後述するオーバーフロー紙幣等が混合状態で収納されるようになっている。なお、本実施の形態では、混合バラ紙幣収納部３２に収納されているバラ紙幣を搬送部１８に繰り出すことができないようになっている。
【００３１】
また、各金種別バラ紙幣収納部３４の上端部の近傍にはそれぞれ紙幣繰出繰入部３４ｂが設けられており、各金種別バラ紙幣収納部３４に収納されているバラ紙幣は紙幣繰出繰入部３４ｂにより１枚ずつ搬送部１８に繰り出されるようになっている。バラ紙幣の出金処理が行われる際に、各金種別バラ紙幣収納部３４から搬送部１８に繰り出されたバラ紙幣が当該搬送部１８により識別部２０に送られ、識別部２０により識別された後にバラ紙幣投出部２４に送られることによって、操作者はバラ紙幣投出部２４から出金紙幣を取り出すことができるようになる。また、各紙幣繰出繰入部３４ｂにより搬送部１８から各金種別バラ紙幣収納部３４にバラ紙幣が１枚ずつ繰り入れられるようになっている。ここで、各金種別バラ紙幣収納部３４には、それぞれ予め設定された特定の金種のバラ紙幣（例えば、千円紙幣、五千円紙幣および一万円紙幣からなる３つの金種のバラ紙幣）が金種毎に収納されるようになっている。
【００３２】
図１および図２に示すように、筐体１２の下部には下部扉１２ａが設けられており、この下部扉１２ａを開くことにより操作者は入金一時保留部３０の内部にアクセスすることができるようになっている。また、入金一時保留部３０、混合バラ紙幣収納部３２および各金種別バラ紙幣収納部３４は、筐体１２の内部から手前側に（すなわち、図２における左方向に）引き出し可能となっている引出ユニット１３に収容されている。そして、操作者が下部扉１２ａを開いて引出ユニット１３を筐体１２の内部から手前側に引き出すことにより、当該操作者は混合バラ紙幣収納部３２や各金種別バラ紙幣収納部３４を引出ユニット１３から取り外したり引出ユニット１３に装着したりすることができるようになる。
【００３３】
また、図２に示すように、搬送部１８には複数（図２に示す例では２つ）の整理一時保留部４０が接続されており、当該搬送部１８から各整理一時保留部４０にバラ紙幣が送られるとこれらの整理一時保留部４０にバラ紙幣が積層状態で集積されるようになっている。また、本実施の形態による紙幣入出金装置１０では、所定枚数（例えば、１００枚）のバラ紙幣からなる紙幣束に帯封紙を巻くことにより帯封紙幣を作成する帯封部４２が各整理一時保留部４０の隣に設けられている。
【００３４】
また、図２に示すように、筐体１２の内部において帯封部４２の近傍にはアーム機構４４が設けられており、当該アーム機構４４は各整理一時保留部４０、帯封部４２および後述する帯封紙幣揚送部４６の間で移動可能となっている。このようなアーム機構４４は、各整理一時保留部４０に集積された所定枚数のバラ紙幣からなる紙幣束を帯封部４２に搬送するようになっている。また、帯封部４２において帯封処理が行われる際に、所定枚数のバラ紙幣からなる紙幣束を保持しているアーム機構４４はこの帯封部４２に移動し、当該帯封部４２においてアーム機構４４の上下一対のアーム部により挟持された状態にある紙幣束の外周面に帯封紙が巻かれるようになっている。また、帯封部４２において帯封処理が行われた後、アーム機構４４は帯封部４２から帯封紙幣揚送部４６に移動して、この帯封紙幣揚送部４６のステージ４６ａ（後述）上に帯封紙幣を受け渡すことができるようになっている。このような動作を繰り返すことにより、複数の帯封紙幣を帯封紙幣揚送部４６のステージ４６ａ上に集積させることができる。
【００３５】
帯封紙幣揚送部４６には、図２における上下方向に移動可能となっているステージ４６ａが設けられており、帯封部４２により作成された帯封紙幣がアーム機構４４からステージ４６ａ上に受け渡されると、当該ステージ４６ａ上に帯封紙幣が集積されるようになる。そして、アーム機構４４からステージ４６ａ上に１または複数の帯封紙幣が受け渡された後、ステージ４６ａが図２における上方向に移動することにより帯封紙幣投出部４８と同じ高さレベルに到達し、シャッター４８ａが開くと、操作者は帯封紙幣投出部４８の内部にアクセスしてステージ４６ａ上に集積されている帯封紙幣を筐体１２の外部に取り出すことができるようになる。また、ステージ４６ａが更に上昇すると、当該ステージ４６ａ上に集積されている帯封紙幣を後述する帯封紙幣搬送部６０に受け渡したり、帯封紙幣搬送部６０から帯封紙幣をステージ４６ａ上に集積させたりすることができるようになる。
【００３６】
図２に示すように、筐体１２の内部における上部領域には、複数（図２に示す例では４つ）の帯封紙幣収納部７０が設けられており、これらの帯封紙幣収納部７０には、帯封部４２により作成された帯封紙幣が積層状態で収納されるようになっている。具体的には、各帯封紙幣収納部７０には、それぞれ予め設定された特定の金種の帯封紙幣が収納されるようになっている。なお、予め設定された特定の金種の帯封紙幣が収納される帯封紙幣収納部７０が４つ設けられる代わりに、複数の帯封紙幣収納部７０のうち少なくとも１つの帯封紙幣収納部７０に金種が異なる帯封紙幣が混合状態で収納されるようになっていてもよい。
【００３７】
各帯封紙幣収納部７０の内部にはそれぞれ図２における上下方向に移動可能となっているステージ７０ａが設けられており、帯封紙幣収納部７０の上端部（天井部分）に設けられた開口（図示せず）からこれらの各帯封紙幣収納部７０に送られた帯封紙幣はステージ７０ａ上に積層状態で集積されるようになっている。また、各帯封紙幣収納部７０から帯封紙幣を出す場合には、ステージ７０ａが上昇することにより各帯封紙幣収納部７０の上端部（天井部分）に設けられた開口から帯封紙幣が上方に出されるようになる。
【００３８】
また、これらの各帯封紙幣収納部７０の上方には帯封紙幣の搬送を行う帯封紙幣搬送部６０が設けられている。帯封紙幣搬送部６０は、複数の突起６０ａが等間隔で設けられた循環ベルト６０ｂを有しており、この循環ベルト６０ｂは図２における時計回りの方向および反時計回りの方向の両方向に循環移動することができるようになっている。そして、帯封紙幣搬送部６０により帯封紙幣が搬送される際に、当該帯封紙幣は循環ベルト６０ｂの下面に沿って突起６０ａにより引っ掛けられた状態で図２における左右いずれかの方向に移動するようになる。また、図２に示すように、帯封紙幣搬送部６０による帯封紙幣の搬送路における帯封紙幣揚送部４６の上端と帯封紙幣収納部７０との間には判別部６２が設けられており、帯封紙幣搬送部６０により搬送される帯封紙幣は当該判別部６２によりその金種が判別されるようになっている。
【００３９】
ここで、帯封部４２により作成された帯封紙幣を各帯封紙幣収納部７０に収納させる際には、アーム機構４４から帯封紙幣が帯封紙幣揚送部４６のステージ４６ａ上に受け渡された後に当該ステージ４６ａが上昇して帯封紙幣搬送部６０の近傍の位置まで到達するようになる。また、循環ベルト６０ｂは図２における反時計回りの方向に循環移動する。このことにより、ステージ４６ａ上の帯封紙幣のうち最上位にある帯封紙幣が突起６０ａにより引っ掛けられて循環ベルト６０ｂの下面に沿って図２における右方向に搬送され、判別部６２によりその金種が判別された後、当該判別部６２による判別結果に基づいて対応する各帯封紙幣収納部７０に収納されるようになる。一方、各帯封紙幣収納部７０に収納されている帯封紙幣を帯封紙幣投出部４８により筐体１２の外部に出金する際には、循環ベルト６０ｂは図２における時計回りの方向に循環移動し、各帯封紙幣収納部７０から上方に押し出された最上位の帯封紙幣が突起６０ａにより引っ掛けられて循環ベルト６０ｂの下面に沿って図２における左方向に搬送されるようになる。また、ステージ４６ａが上昇して帯封紙幣搬送部６０の近傍の位置まで到達するようになる。そして、帯封紙幣搬送部６０により搬送される帯封紙幣の金種が判別部６２により判別された後、当該帯封紙幣はステージ４６ａ上に集積される。複数の帯封紙幣を出金する際には、帯封紙幣の送り込みに合わせてステージ４６ａが所定量（具体的には、帯封紙幣の厚み寸法相当）ずつ下降する。ステージ４６ａ上に所定の数の帯封紙幣が集積されると当該ステージ４６ａが帯封紙幣投出部４８と同じ高さレベルまで下降し、シャッター４８ａが開くようになる。
【００４０】
次に、本実施の形態による貨幣入出金機１における硬貨入出金装置１１０の構成について図１および図３を用いて説明する。図１および図３に示すように、本実施の形態による硬貨入出金装置１１０は、略直方体形状の筐体１１２と、筐体１１２の上面に設けられた硬貨投入口１２１に投入されたバラ硬貨を筐体１１２の内部に繰り出す入金繰出部１２０と、入金繰出部１２０により繰り出されたバラ硬貨を搬送する入金搬送部１２８と、入金搬送部１２８により搬送されるバラ硬貨を識別する入金識別部１２９とを備えている。入金搬送部１２８は、入金繰出部１２０により繰り出されたバラ硬貨を図３における右端部分から左方向に搬送するようになっている。また、入金搬送部１２８には、入金識別部１２９により正常な硬貨ではないと識別されたバラ硬貨や入金識別部１２９により識別することができなかったバラ硬貨をリジェクト硬貨として選別するリジェクト選別部１３０、入金識別部１２９により特定の任意の金種の硬貨であると識別されたバラ硬貨を選別する任意選別部１３４、および入金識別部１２９により各々の金種の硬貨であると識別されたバラ硬貨を選別する複数の金種別選別部１３６がそれぞれ設けられている。
【００４１】
また、筐体１１２の内部には、任意選別部１３４や各金種別選別部１３６により選別されたバラ硬貨を金種毎に一時的に保留する入金一時保留部１４０、および入金一時保留部１４０から送られたバラ硬貨を金種毎に収納するとともに収納されているバラ硬貨を繰り出すことができる複数の収納繰出部１５２がそれぞれ設けられている。また、筐体１１２の内部には、任意選別部１３４により選別されたバラ硬貨を紙やフィルム等の包装媒体により包装することによって包装硬貨を作成する包装部１６０、包装部１６０により作成された包装媒体を収納する包装硬貨収納ユニット２００および包装部１６０により作成された包装媒体を筐体１１２の内部で搬送する包装硬貨搬送ユニット２１０がそれぞれ設けられている。このような硬貨入出金装置１１０の各構成部材の詳細について以下に説明する。
【００４２】
図３に示すように、入金繰出部１２０は、筐体１１２の上面に設けられた硬貨投入口１２１に投入されたバラ硬貨を受け入れる供給円盤１２２と、この供給円盤１２２からバラ硬貨が適量ずつ供給される回転円盤１２４と、回転円盤１２４からバラ硬貨を１枚ずつ入金搬送部１２８に繰り出す繰出機構（図示せず）とを有している。
【００４３】
入金搬送部１２８は、入金繰出部１２０から繰り出されたバラ硬貨を搬送路に沿って図３における右端部分から左方向に搬送する搬送ベルトを有している。また、入金搬送部１２８には、当該入金搬送部１２８により搬送されるバラ硬貨の金種、真偽、正損、新旧、表裏、搬送状態等の識別を行う入金識別部１２９が設けられている。入金識別部１２９によるバラ硬貨の識別情報は後述する制御部３００に送られるようになっている。
【００４４】
また、図３に示すように、入金搬送部１２８には、入金識別部１２９により正常な硬貨ではないと識別されたバラ硬貨や入金識別部１２９により識別することができなかったバラ硬貨をリジェクト硬貨として選別するリジェクト選別部１３０が設けられている。また、図３に示すように、筐体１１２の内部には、リジェクト選別部１３０により選別されたリジェクト硬貨としてのバラ硬貨が集積される入金リジェクト部１３８、およびリジェクト選別部１３０から入金リジェクト部１３８にリジェクト硬貨としてのバラ硬貨を送る入金リジェクト用シュート１３１がそれぞれ設けられている。ここで、図１に示すように、操作者は筐体１１２の前面から入金リジェクト部１３８の内部にアクセス可能となっており、入金リジェクト部１３８に送られたリジェクト硬貨としてのバラ硬貨を操作者は筐体１１２の前面から取り出すことができるようになっている。
【００４５】
また、図３に示すように、入金搬送部１２８において、硬貨の搬送方向におけるリジェクト選別部１３０の下流側には、入金識別部１２９により特定の任意の金種の硬貨であると識別されたバラ硬貨を選別する任意選別部１３４が設けられている。ここで、任意選別部１３４により選別される特定の任意の金種の硬貨とは、例えばバラ硬貨の包装処理において包装部１６０によって包装媒体により包装されることにより包装硬貨とされるべきバラ硬貨や、特定の金種の硬貨の計数処理において袋装着部に装着される貯留袋１７５（図３において二点鎖線で表示）に送られるべきバラ硬貨のことをいう。
【００４６】
また、図３に示すように、入金搬送部１２８において、硬貨の搬送方向における任意選別部１３４の更に下流側には、入金識別部１２９により各々の金種の硬貨であると識別されたバラ硬貨を選別する複数の金種別選別部１３６が設けられている。
【００４７】
また、図３に示すように、筐体１１２の内部において入金搬送部１２８の下方には入金一時保留部１４０が設けられている。入金一時保留部１４０は、任意選別部１３４により選別されたバラ硬貨が一時的に保留される任意一時保留部１４２と、各金種別選別部１３６により選別されたバラ硬貨が金種別に一時的に保留される金種別一時保留部１４４とを有している。ここで、任意一時保留部１４２は、その上部および底部が開口した枠体から構成されている。また、金種別一時保留部１４４は、５円、１円、５０円、１００円、１０円、５００円の各金種に対応する保留領域１４４ａ、１４４ｂ、１４４ｃ、１４４ｄ、１４４ｅ、１４４ｆに区画された、その上部および底部が開口した枠体から構成されている。また、任意一時保留部１４２および金種別一時保留部１４４は互いに連結されており、これらの任意一時保留部１４２および金種別一時保留部１４４は一体的に水平方向に移動するようになっている。また、任意一時保留部１４２や金種別一時保留部１４４の下方には板状の底部材１４６が設けられており、これらの任意一時保留部１４２や金種別一時保留部１４４の枠体の底部に設けられた開口が底部材１４６により選択的に閉止されるようになっている。また、入金一時保留部１４０は、任意一時保留部１４２および金種別一時保留部１４４を水平方向に移動させる第１駆動機構１４５と、底部材１４６を水平方向に移動させる第２駆動機構１４７とを有している。
【００４８】
また、図３に示すように、筐体１１２の内部において入金一時保留部１４０の更に下方には、入金一時保留部１４０から送られたバラ硬貨を筐体１１２の外部に排出するための排出部１５０、入金一時保留部１４０から送られたバラ硬貨を金種毎に収納するとともに収納されているバラ硬貨を繰り出すことができる複数の収納繰出部１５２、入金一時保留部１４０の任意一時保留部１４２から送られたバラ硬貨を包装部１６０や後述する袋装着部に装着された貯留袋１７５に送るシュート機構１７０、および入金一時保留部１４０の任意一時保留部１４２から送られたバラ硬貨が収納されるバラ硬貨一括収納箱１９８（図１参照、図３では図示せず）がそれぞれ設けられている。
【００４９】
入金一時保留部１４０における金種別一時保留部１４４は、各金種別選別部１３６の分岐孔の真下かつ排出部１５０の真上の位置である第１位置と、各収納繰出部１５２の真上の位置である第２位置との間で水平方向に移動可能となっている。また、底部材１４６は、第１位置にある金種別一時保留部１４４の底部の開口を塞ぐ第１位置と、第１位置にある金種別一時保留部１４４の底部の開口を開く第２位置との間で水平方向に移動可能となっている。また、本実施の形態による硬貨入出金装置１１０が待機状態にあるときには金種別一時保留部１４４は第１位置に位置するとともに底部材１４６も第１位置に位置するようになる。ここで、金種別一時保留部１４４が第１位置に位置するとともに底部材１４６が第１位置に位置しているときには、各金種別選別部１３６の分岐孔に落とし込まれたバラ硬貨は金種別一時保留部１４４の各保留領域１４４ａ〜１４４ｆに金種毎に一時的に保留されるようになる。そして、金種別一時保留部１４４の各保留領域１４４ａ〜１４４ｆにバラ硬貨が一時的に保留されている状態から第１駆動機構１４５により金種別一時保留部１４４が第１位置から第２位置に移動させられると、金種別一時保留部１４４の各保留領域１４４ａ〜１４４ｆの底部に設けられた開口が開くことにより各保留領域１４４ａ〜１４４ｆからバラ硬貨が自重により落下して各収納繰出部１５２の収納領域１５２ａ〜１５２ｆ（後述）に金種毎に送られ、各収納繰出部１５２の収納領域１５２ａ〜１５２ｆに金種毎に収納されるようになる。一方、金種別一時保留部１４４の各保留領域１４４ａ〜１４４ｆにバラ硬貨が一時的に保留されている状態から第２駆動機構１４７により底部材１４６が第１位置から第２位置に移動させられると、金種別一時保留部１４４の各保留領域１４４ａ〜１４４ｆの底部に設けられた開口が開くことにより各保留領域１４４ａ〜１４４ｆからバラ硬貨が自重により落下して排出部１５０に送られ、この排出部１５０に金種混合状態で集積されるようになる。
【００５０】
また、入金一時保留部１４０における任意一時保留部１４２は、第１駆動機構１４５による当該任意一時保留部１４２の移動方向に沿って並ぶ第１保留領域および第２保留領域に区画されたものから構成されている。そして、金種別一時保留部１４４が第１位置に位置しているときには任意一時保留部１４２の第１保留領域が任意選別部１３４の分岐孔の真下に位置するとともに排出部１５０の真上に位置するようになる。なお、このときに底部材１４６が第１位置に位置しているときには任意一時保留部１４２の第１保留領域の底部の開口が当該底部材１４６により塞がれるようになり、任意選別部１３４の分岐孔に落とし込まれたバラ硬貨は任意一時保留部１４２の第１保留領域に一時的に保留されるようになる。また、金種別一時保留部１４４が第２位置に位置しているときには任意一時保留部１４２の第１保留領域がバラ硬貨一括収納箱１９８の真上に位置するようになっている。そして、任意一時保留部１４２の第１保留領域にバラ硬貨が一時的に保留されている状態から第１駆動機構１４５により金種別一時保留部１４４が第１位置から第２位置に移動させられると、任意一時保留部１４２の第１保留領域の底部に設けられた開口が開くことによりこの第１保留領域からバラ硬貨が自重により落下してバラ硬貨一括収納箱１９８に送られ、このバラ硬貨一括収納箱１９８に収納されるようになる。一方、任意一時保留部１４２の第１保留領域にバラ硬貨が一時的に保留されている状態から第２駆動機構１４７により底部材１４６が第１位置から第２位置に移動させられると、任意一時保留部１４２の第１保留領域の底部に設けられた開口が開くことによりこの第１保留領域からバラ硬貨が自重により落下して排出部１５０に送られ、当該排出部１５０に集積されるようになる。また、第１駆動機構１４５によって、入金一時保留部１４０における任意一時保留部１４２を、その第２保留領域が任意選別部１３４の分岐孔の真下に位置するような第３位置に移動させることができるようになっている。ここで、任意一時保留部１４２が第３位置に位置しているときには、任意選別部１３４の分岐孔に落とし込まれたバラ硬貨は任意一時保留部１４２の第２保留領域に送られた後、この第２保留領域を通過してシュート機構１７０の上部シュート１７２（後述）に送られるようになっている。
【００５１】
図３に示すように、複数の収納繰出部１５２の各々は、それぞれ、５円、１円、５０円、１００円、１０円、５００円の各金種に対応する収納領域１５２ａ、１５２ｂ、１５２ｃ、１５２ｄ、１５２ｅ、１５２ｆを有しており、これらの収納領域１５２ａ〜１５２ｆにバラ硬貨が金種別に収納されるようになっている。より詳細には、各収納繰出部１５２の収納領域１５２ａ〜１５２ｆには、入金一時保留部１４０の金種別一時保留部１４４の各保留領域１４４ａ〜１４４ｆからバラ硬貨がそれぞれ送られるようになっている。また、各収納繰出部１５２において収納領域１５２ａ〜１５２ｆの底部には回転円盤等の硬貨繰出部１５２ｐがそれぞれ設けられており、各硬貨繰出部１５２ｐにより各収納繰出部１５２の収納領域１５２ａ〜１５２ｆからバラ硬貨が１枚ずつ繰り出されるようになっている。また、各収納繰出部１５２の下方には水平方向に延びるコンベア１５４が設けられており、各硬貨繰出部１５２ｐにより各収納繰出部１５２の収納領域１５２ａ〜１５２ｆから繰り出されたバラ硬貨はコンベア１５４により搬送されるようになっている。ここで、コンベア１５４には、当該コンベア１５４により搬送されるバラ硬貨の金種、真偽、正損、新旧、表裏、搬送状態等の識別を行う出金識別部１５５が設けられている。出金識別部１５５によるバラ硬貨の識別情報は後述する制御部３００に送られるようになっている。また、出金識別部１５５により識別されたバラ硬貨はコンベア１５４により出金用シュート１５８を介して出金箱１９０に送られるか、あるいは包装用シュート（図示せず）を介して包装部１６０に送られるようになっている。
【００５２】
排出部１５０は、筐体１１２の前面から操作者が手前側に引き出し可能な返却箱１５０ａを有しており、入金一時保留部１４０における任意一時保留部１４２の第１保留領域や金種別一時保留部１４４の各保留領域１４４ａ〜１４４ｆから送られたバラ硬貨が金種混合状態で返却箱１５０ａに集積されるようになっている。
【００５３】
バラ硬貨一括収納箱１９８は、筐体１１２の前面から操作者が手前側に引き出し可能となっており、入金一時保留部１４０における任意一時保留部１４２の第１保留領域から送られたバラ硬貨が集積されるようになっている。
【００５４】
図３に示すように、シュート機構１７０は、入金一時保留部１４０における任意一時保留部１４２の第２保留領域から送られたバラ硬貨が通過する上部シュート１７２と、この上部シュート１７２から分岐した貯留用シュート１７４および包装用シュート１７６とを有しており、上部シュート１７２から貯留用シュート１７４や包装用シュート１７６への分岐箇所には分岐部材１７８が設けられている。ここで、上部シュート１７２から分岐部材１７８により包装用シュート１７６に分岐させられたバラ硬貨は包装部１６０に送られるようになっている。一方、図３に示すように、貯留用シュート１７４の下流側端部に位置する排出側開口１７４ａは筐体１１２の前面に開口するようになっており、この排出側開口１７４ａの近傍には、図３において二点鎖線で示すような貯留袋１７５を筐体１１２の前面に装着させる袋装着部（図示せず）が設けられている。そして、袋装着部に貯留袋１７５が装着されているときには、上部シュート１７２から分岐部材１７８により貯留用シュート１７４に分岐させられたバラ硬貨は排出側開口１７４ａから貯留袋１７５に送られてこの貯留袋１７５に貯留されるようになる。
【００５５】
出金箱１９０は、筐体１１２の前面から操作者が手前側に引き出し可能となっており、本実施の形態による硬貨入出金装置１１０においてバラ硬貨の出金処理が行われる際に、各収納繰出部１５２の収納領域１５２ａ〜１５２ｆから繰り出されたバラ硬貨がコンベア１５４により出金用シュート１５８を介して出金箱１９０に送られるようになっている。また、出金箱１９０には、操作者が当該出金箱１９０を筐体１１２の前面から手前側に引き出す際に把持される取っ手１９０ａが設けられており、このような取っ手１９０ａを操作者が把持することにより出金箱１９０を筐体１１２から容易に引き出すことができるようになっている。また、出金箱１９０には図示しないロック機構が設けられており、このロック機構により出金箱１９０は筐体１１２の内部にロックされるようになっている。一方、ロック機構によるロックが解除されると、操作者は出金箱１９０を筐体１１２の前面から手前側に引き出すことができるようになる。また、図３に示すように、出金箱１９０の底部には開口が設けられているとともに、この開口はシャッタ部材１９２により選択的に閉じられるようになっている。また、筐体１１２の下部には、出金リジェクト箱１５６と、出金箱１９０の底部に設けられた開口から出金リジェクト箱１５６にバラ硬貨を送る出金リジェクト用シュート１９４がそれぞれ設けられている。そして、本実施の形態による硬貨入出金装置１１０においてバラ硬貨の出金処理が行われる際に、出金されるべきバラ硬貨の金種とは異なる金種のバラ硬貨が収納繰出部１５２の各収納領域１５２ａ〜１５２ｆから繰り出されて出金箱１９０に送られたり、収納繰出部１５２の各収納領域１５２ａ〜１５２ｆからのバラ硬貨の繰り出しエラーによって各収納領域１５２ａ〜１５２ｆから繰り出されたバラ硬貨の枚数が不確定となってしまったりした場合には、出金箱１９０の底部に設けられた開口がシャッタ部材１９２により開かれ、出金箱１９０に送られたバラ硬貨はこの出金箱１９０から出金リジェクト用シュート１９４を介して出金リジェクト箱１５６に送られるようになる。
【００５６】
包装部１６０は、シュート機構１７０の包装用シュート１７６や包装用シュート（図閉示せず）により当該包装部１６０に送られたバラ硬貨が集積されるとともに集積されたバラ硬貨を１枚ずつ繰り出す集積部としての回転円盤１６２と、回転円盤１６２により繰り出されたバラ硬貨を搬送するコンベア（図示せず）と、コンベアにより搬送されたバラ硬貨が積層状態で集積されるとともに集積された所定の枚数（例えば、５０枚）のバラ硬貨を紙やフィルム等の包装媒体により包装する包装機構１６８とを有している。ここで、包装機構１６８は上方から見て仮想の正三角形の各頂点に位置する３本の包装ローラ１６８ａを有しており、各包装ローラ１６８ａの間の包装領域において所定枚数重積した重積硬貨が包装媒体により包装されることにより包装硬貨が作成されるようになっている。また、包装機構１６８により作成された包装硬貨はこの包装機構１６８から下方に排出され、後述する包装硬貨搬送ユニット２１０に送られるようになっている。
【００５７】
包装硬貨搬送ユニット２１０（図４参照、図１や図３では図示せず）は、包装部１６０の包装機構１６８により作成された包装硬貨を後述する包装硬貨収納ユニット２００の収納トレイに収納させたり、後述する包装硬貨出金部２３０、包装硬貨一括収納箱２３２または包装硬貨投出部２３６に送ったりするようになっている。また、筐体１１２の内部において包装硬貨搬送ユニット２１０の近傍には、包装硬貨の収納を行うとともに収納されている包装硬貨を包装硬貨搬送ユニット２１０に１本ずつ繰出可能な包装硬貨収納ユニット２００（図４参照、図１や図３では図示せず）が設けられている。ここで、包装硬貨収納ユニット２００は、同一金種の複数の包装硬貨を一列に収納する複数の収納トレイ（図示せず）を有しており、各収納トレイには包装硬貨が金種別に収納されるようになっている。より詳細には、各収納トレイは水平方向に対して傾斜しており、収納トレイに収納されている包装硬貨は、包装硬貨搬送ユニット２１０に近い側である収納トレイの最前部に向かって転がるようになっている。また、各収納トレイは鉛直方向に沿って並ぶよう配置されている。また、各収納トレイに収納される包装硬貨の金種は収納トレイ毎に予め設定されている。
【００５８】
また、図１に示すように、筐体１１２の前面において包装硬貨搬送ユニット２１０の前部域には、包装硬貨出金部２３０、包装硬貨一括収納箱２３２および包装硬貨投出部２３６がそれぞれ設けられている。また、包装硬貨出金部２３０、包装硬貨一括収納箱２３２および包装硬貨投出部２３６の各々に対応して、包装硬貨搬送ユニット２１０により搬送される包装硬貨を選択的に包装硬貨出金部２３０、包装硬貨一括収納箱２３２および包装硬貨投出部２３６にそれぞれ分岐させる分岐部材２１８、２１９、２２０（図４参照）が鉛直方向における上から順に設けられている。ここで、図１に示すように、操作者は筐体１１２の前面から包装硬貨出金部２３０にアクセス可能となっており、分岐部材２１８により包装硬貨搬送ユニット２１０から分岐させられて包装硬貨出金部２３０に送られた包装硬貨を操作者は筐体１１２の外部に取り出すことができるようになっている。また、分岐部材２１９により包装硬貨搬送ユニット２１０から分岐させられて包装硬貨一括収納箱２３２に送られた包装硬貨は当該包装硬貨一括収納箱２３２に収納されるようになっている。なお、操作者は包装硬貨一括収納箱２３２を筐体１１２の外部に取り出すことによりこの包装硬貨一括収納箱２３２から包装硬貨を回収することができるようになる。また、図１に示すように、操作者は筐体１１２の前面から包装硬貨投出部２３６にアクセス可能となっており、分岐部材２２０により包装硬貨搬送ユニット２１０から分岐させられて包装硬貨投出部２３６に送られた包装硬貨を操作者は筐体１１２の外部に取り出すことができるようになっている（具体的には、包装硬貨投出部２３６の下方に箱状の容器を置いて、投出される包装硬貨をこの容器で受け入れるようになっている）。
【００５９】
また、図１に示すように、筐体１１２の前面側における右側部分には開閉可能な前扉１１４が設けられており、当該前扉１１４を開くことにより筐体１１２内の包装硬貨収納ユニット２００にアクセスすることができるようになっている。より詳細には、前扉１１４には上述した包装硬貨出金部２３０、包装硬貨一括収納箱２３２、包装硬貨投出部２３６および包装硬貨搬送ユニット２１０が取り付けられており、前扉１１４を開いたときにはこれらの包装硬貨出金部２３０、包装硬貨一括収納箱２３２、包装硬貨投出部２３６および包装硬貨搬送ユニット２１０も前扉１１４と一体的に移動するようになっている。このことにより、操作者は前扉１１４を開くと包装硬貨収納ユニット２００にアクセスして収納トレイを取り出すことにより収納トレイに包装硬貨を収納したり収納トレイから包装硬貨を取り出したりすることができるようになっている。
【００６０】
また、図１に示すように、筐体１１２の前面側における左側部分にも開閉可能な前扉１１５が設けられている。また、筐体１１２の内部において前扉１１５の裏側には複数の引出ユニットが設けられており、操作者は前扉１１５を開くことにより各引出ユニットを筐体１１２の手前側に引き出すことができるようになっている。
【００６１】
また、本実施の形態の貨幣入出金機１には、当該貨幣入出金機１の各構成部材の制御を行う制御部３００が設けられている。より詳細には、図４に示すように、制御部３００には、紙幣入出金装置１０の投入部１４、繰出部１６、搬送部１８、識別部２０、表裏反転部２２、入金一時保留部３０（具体的には、入金一時保留部３０に設けられたステージ３０ａの駆動機構（図示せず）や紙幣繰出繰入部３０ｂ）、混合バラ紙幣収納部３２（具体的には、混合バラ紙幣収納部３２に設けられたステージ３２ａの駆動機構（図示せず）や紙幣繰入部３２ｂ）、各金種別バラ紙幣収納部３４（具体的には、各金種別バラ紙幣収納部３４に設けられたステージ３４ａの駆動機構（図示せず）や紙幣繰出繰入部３４ｂ）、帯封部４２、アーム機構４４、帯封紙幣揚送部４６、帯封紙幣搬送部６０、判別部６２、各帯封紙幣収納部７０（具体的には、各帯封紙幣収納部７０に設けられたステージ７０ａの駆動機構（図示せず））、各シャッター２４ａ、４８ａを開閉させるシャッター駆動部２４ｂ、４８ｂ等がそれぞれ接続されている。そして、識別部２０によるバラ紙幣の識別結果に係る信号や判別部６２による帯封紙幣の金種の判別結果に係る情報等が制御部３００に送られるとともに、制御部３００は紙幣入出金装置１０の各構成部材に指令信号を送ることによりこれらの構成部材の動作を制御するようになっている。
【００６２】
また、図４に示すように、制御部３００には、硬貨入出金装置１１０の入金繰出部１２０、入金搬送部１２８、入金識別部１２９、各選別部１３０、１３４、１３６、入金一時保留部１４０、各収納繰出部１５２、コンベア１５４、出金識別部１５５、包装部１６０、包装硬貨収納ユニット２００、包装硬貨搬送ユニット２１０、各分岐部材２１８、２１９、２２０等がそれぞれ接続されている。ここで、入金識別部１２９や出金識別部１５５によるバラ硬貨の識別情報はこれらの入金識別部１２９や出金識別部１５５から制御部３００に送られるようになっている。また、制御部３００は、硬貨入出金装置１１０の各構成部材に指令の信号を送ることによりこれらの構成部材の動作を制御するようになっている。
【００６３】
また、図４に示すように、制御部３００には、操作表示部３０２、印字部３０４、記憶部３０６および通信インターフェース部３０８がそれぞれ接続されている。図１に示すように、操作表示部３０２は、例えば硬貨入出金装置１１０の筐体１１２の上部に設けられたタッチパネル等からなり、紙幣入出金装置１０や硬貨入出金装置１１０における紙幣や硬貨の処理状況や、紙幣入出金装置１０や硬貨入出金装置１１０に収納されている紙幣や硬貨の在高等の情報を表示するようになっている。また、操作者はこの操作表示部３０２により制御部３００に様々な指令を入力することができるようになっている。また、図１に示すように、印字部３０４は、紙幣入出金装置１０や硬貨入出金装置１１０における紙幣や硬貨の処理状況や、紙幣入出金装置１０や硬貨入出金装置１１０に収納されている紙幣や硬貨の在高等の情報をレシート等に印刷するプリンタ等から構成されている。また、記憶部３０６は、紙幣入出金装置１０や硬貨入出金装置１１０における紙幣や硬貨の処理履歴や、紙幣入出金装置１０や硬貨入出金装置１１０に収納されている紙幣や硬貨の在高等の情報を記憶するようになっている。また、制御部３００は通信インターフェース部３０８を介して上位端末等の外部装置３１０に対して様々な信号の送受信を行うことができるようになっている。
【００６４】
また、本実施の形態による貨幣入出金機１では、出金処理に係る指令を受け付ける出金処理指令受付手段３２０が制御部３００に接続されている。出金処理指令受付手段３２０は、操作者によって操作表示部３０２により出金処理に係る指令が入力されたり、上位端末等の外部装置３１０から通信インターフェース部３０８を介して貨幣入出金機１に出金処理に係る指令が送られたりすると、出金処理に係る指令を受け付けるようになっている。このような出金処理指令受付手段３２０の機能の詳細については後述する。
【００６５】
次に、このような構成からなる貨幣入出金機１の紙幣入出金装置１０においてバラ紙幣の入金処理や割込出金処理が行われる際の動作について図５および図６に示すフローチャート、図７（ａ）〜（ｃ）に示す紙幣の搬送経路ならびに図８乃至図１１に示す操作表示部３０２の表示画面を用いて説明する。
【００６６】
紙幣入出金装置１０においてバラ紙幣の入金処理を行うにあたり、操作者が投入部１４に１または複数のバラ紙幣を積層状態で投入し、操作表示部３０２のメニュー画面においてバラ紙幣の入金処理を選択すると、投入部１４に投入されたバラ紙幣は１枚ずつ繰出部１６により筐体１２の内部に繰り出される。そして、筐体１２の内部に繰り出されたバラ紙幣は搬送部１８により識別部２０に搬送され、この識別部２０によりバラ紙幣の金種、真偽、表裏、正損、新旧、搬送状態等が識別された後、表裏反転部２２によりその表裏が揃うように反転させられる。その後、識別部２０により正常な紙幣であると識別されたバラ紙幣は、搬送部１８により入金一時保留部３０に送られ、この入金一時保留部３０に保留される。一方、識別部２０により正常な紙幣ではないと識別されたバラ紙幣や識別部２０により識別することができなかったバラ紙幣は、リジェクト紙幣としてバラ紙幣投出部２４に送られる。また、バラ紙幣投出部２４にバラ紙幣が存在することが図示しない検知センサにより検知されると、このバラ紙幣投出部２４に設けられたシャッター２４ａが開くようになる。このことにより、操作者はバラ紙幣投出部２４からリジェクト紙幣を取り出して投入部１４に再投入等することができるようになる。投入部１４に投入されたバラ紙幣を筐体１２の内部に繰り出して識別部２０により識別させた後に入金一時保留部３０またはバラ紙幣投出部２４に送るときのバラ紙幣の搬送経路を図７（ａ）に示す。なお、投入部１４に投入されたバラ紙幣を筐体１２の内部に繰り出して識別部２０により識別させた後に入金一時保留部３０またはバラ紙幣投出部２４に送る動作は、投入部１４から入金一時保留部３０またはバラ紙幣投出部２４に全てのバラ紙幣が送られるまで繰り返し行われる。
【００６７】
また、バラ紙幣の入金処理開始の指令が制御部３００に与えられると、操作表示部３０２には入金されるべきバラ紙幣の金種毎の枚数や合計金額等を入力する画面が表示される。そして、投入部１４に投入されたバラ紙幣が全て筐体１２の内部に繰り出されて入金一時保留部３０またはバラ紙幣投出部２４に送られることにより投入部１４にバラ紙幣が存在しなくなったときに、操作者が操作表示部３０２の入力画面において入金されるべきバラ紙幣の金種毎の枚数や合計金額等を入力した後に「完了」ボタンを押下すると、識別部２０による識別結果に基づくバラ紙幣の計数結果におけるバラ紙幣の金種毎の枚数や合計金額と、操作者によって操作表示部３０２により入力された結果におけるバラ紙幣の金種毎の枚数や合計金額とが等しいか否かが照合される。
【００６８】
識別部２０による識別結果に基づくバラ紙幣の計数結果におけるバラ紙幣の金種毎の枚数や合計金額と、操作者によって操作表示部３０２により入力された結果におけるバラ紙幣の金種毎の枚数や合計金額とが等しい場合には、制御部３００においてバラ紙幣の入金処理が確定されるようになる。バラ紙幣の入金処理が確定されると、操作表示部３０２の表示画面がメニュー画面に戻る。また、バラ紙幣の入金処理が確定されると、入金されたバラ紙幣の明細書が印字部３０４により発行されるようになる。なお、別の例として、識別部２０による識別結果に基づくバラ紙幣の計数結果におけるバラ紙幣の金種毎の枚数や合計金額と、操作者によって操作表示部３０２により入力された結果におけるバラ紙幣の金種毎の枚数や合計金額とが等しい場合に、入金確定を操作者に求める画面が操作表示部３０２に表示され、このような入金確定を操作者に求める画面が操作表示部３０２に表示されているときに、操作者が操作表示部３０２により入金確定の指令を制御部３００に与えると制御部３００においてバラ紙幣の入金処理が確定されるようになっていてもよい。また、識別部２０による識別結果に基づくバラ紙幣の計数結果におけるバラ紙幣の金種毎の枚数や合計金額と、操作者によって操作表示部３０２により入力された結果におけるバラ紙幣の金種毎の枚数や合計金額とが等しくない場合には、バラ紙幣の計数結果と入力結果が一致しない旨のエラーメッセージが操作表示部３０２に表示されるようになる。この場合には、操作者は操作表示部３０２により「入力値の修正」「バラ紙幣の返却および再投入」「バラ紙幣の追加投入」「入金処理の取り止め」のうちいずれかの処理を行うことを入力することができるようになる。
【００６９】
なお、入金されるべきバラ紙幣の金種毎の枚数や合計金額等の入力は、入金処理開始時に行ってもよい。この場合でも、識別部２０によるバラ紙幣の計数処理の終了後に、識別部２０による識別結果に基づくバラ紙幣の計数結果におけるバラ紙幣の金種毎の枚数や合計金額と、操作者によって操作表示部３０２により入力された結果におけるバラ紙幣の金種毎の枚数や合計金額とが等しいか否かが照合されるようになる。
【００７０】
また、制御部３００においてバラ紙幣の入金処理が確定されると、入金一時保留部３０の内部に一時的に保留されているバラ紙幣が紙幣繰出繰入部３０ｂにより搬送部１８に繰り出される。そして、入金一時保留部３０から搬送部１８に繰り出されたバラ紙幣は識別部２０を送られることによりその金種等が識別される。その後、出金処理において出金可能な紙幣であると識別部２０により識別されたバラ紙幣のうち、当該バラ紙幣の金種に対応する金種別バラ紙幣収納部３４がニアフル状態またはフル状態となっていないバラ紙幣については、搬送部１８により当該バラ紙幣の金種に対応する金種別バラ紙幣収納部３４に送られ、この金種別バラ紙幣収納部３４に収納される。なお、出金処理において出金可能な紙幣であると識別部２０により識別されたバラ紙幣であっても、当該バラ紙幣の金種に対応する金種別バラ紙幣収納部３４がニアフル状態またはフル状態となっているバラ紙幣は、搬送部１８により混合バラ紙幣収納部３２に送られ、この混合バラ紙幣収納部３２に収納される。また、識別部２０により正常な紙幣ではないと識別されたバラ紙幣（例えば、搬送異常（具体的には、重送、斜行等）であると識別されたバラ紙幣）、正常な紙幣であるが出金用に使用できないバラ紙幣（例えば、損券）、および各金種別バラ紙幣収納部３４に対応していない金種のバラ紙幣（例えば、二千円札）は、搬送部１８により混合バラ紙幣収納部３２に送られ、この混合バラ紙幣収納部３２に収納される。このような入金一時保留部３０から繰り出されたバラ紙幣を識別部２０により識別させた後に各金種別バラ紙幣収納部３４または混合バラ紙幣収納部３２に送るときのバラ紙幣の搬送経路を図７（ｂ）に示す。そして、入金一時保留部３０からバラ紙幣が全て繰り出され、混合バラ紙幣収納部３２または各金種別バラ紙幣収納部３４に送られると、入金一時保留部３０から各金種別バラ紙幣収納部３４へのバラ紙幣の振分処理（「特許請求の範囲」における「収納処理」に該当）が完了する。
【００７１】
また、本実施の形態では、図７（ｂ）に示すようなバラ紙幣の振分処理が行われている途中で、出金処理指令受付手段３２０により紙幣の出金処理に係る指令が受け付けられると、バラ紙幣の振分処理を中断して紙幣の割込出金処理を行うことができるようになっている。このような紙幣の割込出金処理の詳細について図５および図６に示すフローチャートを用いて以下に説明する。
【００７２】
上述したように、バラ紙幣の入金処理が確定されると、操作表示部３０２の表示画面がメニュー画面に戻るが、バラ紙幣の振分処理が行われている途中で、操作者がメニュー画面により紙幣の出金処理を選択したり、上位端末等の外部装置３１０から通信インターフェース部３０８を介して貨幣入出金機１に出金処理に係る指令が送られたりすると、振分処理が中断されて割込出金処理が行われる。より詳細には、操作者によって操作表示部３０２により出金処理に係る指令が入力されたり、上位端末等の外部装置３１０から通信インターフェース部３０８を介して貨幣入出金機１に出金処理に係る指令が送られたりすると、出金処理指令受付手段３２０は出金処理に係る指令を受け付けるようになる（ＳＴＥＰ１の「ＹＥＳ」）。また、この際に、出金されるべきバラ紙幣の金種毎の枚数や合計金額が制御部３００に入力されることにより、出金されるべきバラ紙幣の金種毎の枚数が制御部３００により特定されるようになる。ここで、出金されるべきバラ紙幣の合計金額が制御部３００に入力された場合には、出金されるべきバラ紙幣の合計枚数が例えば最少構成数となるように自動算出されるようになる。
【００７３】
出金処理指令受付手段３２０により出金処理に係る指令が受け付けられたときに、出金されるべきバラ紙幣の金種毎の枚数と、記憶部３０６に記憶されている、各金種別バラ紙幣収納部３４に収納されているバラ紙幣の金種毎の枚数（在高情報）とが制御部３００において比較される。そして、このような制御部３００による比較において、出金処理により出金されるべきバラ紙幣が全て各金種別バラ紙幣収納部３４に収納されていると判断された場合には、すなわち、出金処理により出金されるべきバラ紙幣の金種毎の枚数が、出金されるべき全ての金種について、記憶部３０６に記憶されている、各金種別バラ紙幣収納部３４に収納されているバラ紙幣の金種毎の枚数以下である場合には（ＳＴＥＰ２の「ＹＥＳ」）、振分処理が中断されて割込出金処理が行われる（ＳＴＥＰ３）。具体的には、入金一時保留部３０からのバラ紙幣の繰出動作を停止し、入金一時保留部３０から既に繰り出されている全てのバラ紙幣が混合バラ紙幣収納部３２または各金種別バラ紙幣収納部３４に収納されると、各金種別バラ紙幣収納部３４に収納されているバラ紙幣のうち出金されるべきバラ紙幣が当該金種別バラ紙幣収納部３４から搬送部１８に繰り出される。そして、繰り出されたバラ紙幣は搬送部１８により識別部２０に送られ、この識別部２０により金種、真偽、表裏、正損、新旧、搬送状態等が識別された後、表裏反転部２２によりその表裏が揃うように反転させられる。その後、識別部２０により正常な紙幣であると識別されたバラ紙幣は搬送部１８によりバラ紙幣投出部２４に送られ、このバラ紙幣投出部２４に集積される。一方、識別部２０により正常な紙幣ではないと識別されたバラ紙幣（例えば、搬送異常のバラ紙幣）は搬送部１８により出金リジェクト部２６に送られ、この出金リジェクト部２６に集積されるようになる。そして、出金されるべきバラ紙幣が全てバラ紙幣投出部２４に集積されるとシャッター２４ａが開き、操作者はバラ紙幣投出部２４からバラ紙幣を筐体１２の外部に取り出すことができるようになる。また、バラ紙幣の出金処理が完了すると、中断されていた振分処理が再開される。なお、本実施の形態では、紙幣の出金処理を行う際に、帯封紙幣を出金するという指令が制御部３００に与えられたときに、金種別バラ紙幣収納部３４から搬送部１８に繰り出されたバラ紙幣が帯封部４２により帯封され、当該帯封部４２により作成された帯封紙幣が帯封紙幣投出部４８により投出されるようになっていてもよい。具体的には、出金されるべき帯封紙幣の金種に対応する金種別バラ紙幣収納部３４からバラ紙幣が搬送部１８に繰り出され、この搬送部１８により整理一時保留部４０に送られる。そして、整理一時保留部４０に所定枚数（例えば、１００枚）のバラ紙幣が集積される度に、当該整理一時保留部４０に集積された所定枚数のバラ紙幣から帯封部４２により帯封紙幣が作成され、この作成された帯封紙幣が帯封紙幣揚送部４６のステージ４６ａ上に集積される。そして、出金されるべき帯封紙幣が全て帯封紙幣揚送部４６のステージ４６ａ上に集積されるとシャッター４８ａが開き、操作者は帯封紙幣投出部４８から帯封紙幣を筐体１２の外部に取り出すことができるようになる。上述したバラ紙幣や帯封紙幣の出金処理が行われる際のバラ紙幣および帯封紙幣の搬送経路を図７（ｃ）に示す。なお、本実施の形態では、概してバラ紙幣の割込出金処理が行われる際の動作が記載されているが、帯封紙幣の割込出金処理が行われる場合には、「出金されるべきバラ紙幣の枚数」を、「出金されるべき帯封紙幣に相当するバラ紙幣の枚数」に置き換えるものとする。
【００７４】
このように、本実施の形態では、振分処理が行われている途中で出金処理指令受付手段３２０により紙幣の出金処理に係る指令が受け付けられたときに、出金処理により出金されるべきバラ紙幣が全て各金種別バラ紙幣収納部３４に収納されている場合には、振分処理を中断して割込出金処理を行うことにより、出金処理を行おうとする操作者は振分処理が終了するまで待つ必要がなくなるため、操作者にとっての利便性を向上させることができる。
【００７５】
一方、出金処理指令受付手段３２０により出金処理に係る指令が受け付けられたときに、出金処理により出金されるべきバラ紙幣が全て各金種別バラ紙幣収納部３４に収納されていない場合には、すなわち、出金処理により出金されるべきバラ紙幣の金種毎の枚数について、出金されるべき少なくとも１つの金種について、記憶部３０６に記憶されている、金種別バラ紙幣収納部３４に収納されている当該金種のバラ紙幣の枚数よりも多い場合には（ＳＴＥＰ２の「ＮＯ」）、金種別バラ紙幣収納部３４に収納されているバラ紙幣の在高が不足しており出金されるべきバラ紙幣を全て筐体１２の外部に払い出すことができないため、操作表示部３０２には図８に示すような出金準備中である旨のメッセージがポップアップ表示されるようになる（ＳＴＥＰ４）。また、この際に、出金処理を続行するか否かを操作者は操作表示部３０２により選択することができるようになる。
【００７６】
具体的には、図８に示すような操作表示部３０２の画面において「はい」のボタンが押下されると、振分処理を中断して出金処理を行うことが選択される（ＳＴＥＰ５の「ＹＥＳ」）。この場合には、操作表示部３０２には図９に示すような、金種別バラ紙幣収納部３４におけるバラ紙幣の在高が不足している旨のメッセージが表示されるとともに、「出金処理」「手払い」「取消」のうちいずれかの処理を操作者は操作表示部３０２により選択することができるようになる（ＳＴＥＰ６）。ここで、「出金処理」を行うことが操作者によって操作表示部３０２により選択されると（ＳＴＥＰ７の「ＹＥＳ」）、出金可能な金種のバラ紙幣のみ出金され、金種別バラ紙幣収納部３４の在高が不足している金種のバラ紙幣は手払いされる（ＳＴＥＰ８）。ここで、「手払い」とは、貨幣入出金機１の傍に設置された出納係の机の引き出しや金庫、現金バス等から出納係がバラ紙幣を手で取りだして操作者に手渡すことをいう。また、このような手払いされたバラ紙幣の情報（具体的には、金種毎の枚数や合計金額）を操作者（あるいは出納係）が操作表示部３０２により手入力することにより、貨幣入出金機１の制御部３００においてこの手払いされたバラ紙幣の情報が管理されるようになる。また、図９に示すような画面が操作表示部３０２に表示されているときに、「手払い」を行うことが操作者によって操作表示部３０２により選択されると（ＳＴＥＰ９の「ＹＥＳ」）、出金可能な金種のバラ紙幣および金種別バラ紙幣収納部３４の在高が不足している金種のバラ紙幣の両方（すなわち、出金されるべき全てのバラ紙幣）が手払いされる（ＳＴＥＰ１０）。この場合にも、手払いされたバラ紙幣の情報を操作者（あるいは出納係）が操作表示部３０２により手入力することにより、貨幣入出金機１の制御部３００においてこの手払いされたバラ紙幣の情報が管理されるようになる。また、図９に示すような画面が操作表示部３０２に表示されているときに、「取消」ボタンが操作者により押下されると（ＳＴＥＰ１１の「ＹＥＳ」）、割込出金処理を行うことが取り消され、中断されていた振分処理が再開されるようになる。なお、図８に示すような画面が操作表示部３０２に表示されているときに、「取消」ボタンが操作者により押下された場合にも、割込出金処理を行うことが取り消され、中断されていた振分処理が再開されるようになる。
【００７７】
また、図８に示すような操作表示部３０２の画面において「いいえ」のボタンが押下されると、図７（ｂ）に示すようなバラ紙幣の振分処理が続行され（ＳＴＥＰ２１）、この振分処理が完了した後に出金処理が行われるようになる。ここで、バラ紙幣の振分処理が行われている間は、操作表示部３０２に図１０に示すような振分処理を行っている旨を示す画面がポップアップ表示される。なお、この際に、振分処理が完了するまでの時間が操作表示部３０２にリアルタイムで表示されるようになっていてもよい。操作表示部３０２に表示される、振分処理が完了するまでの時間は、入金一時保留部３０に保留されているバラ紙幣の枚数に基づいて算出されるようになっている。そして、バラ紙幣の振分処理が完了したときに（ＳＴＥＰ２２の「ＹＥＳ」）、出金されるべきバラ紙幣の金種毎の枚数と、記憶部３０６に記憶されている、各金種別バラ紙幣収納部３４に収納されているバラ紙幣の金種毎の枚数（すなわち、各金種別バラ紙幣収納部３４に元々収納されていたバラ紙幣の金種毎の枚数と振分処理により各金種別バラ紙幣収納部３４に送られたバラ紙幣の金種毎の枚数の合計）とが制御部３００において比較される。そして、このような制御部３００による比較において、出金処理により出金されるべきバラ紙幣が全て各金種別バラ紙幣収納部３４に収納されている場合には、すなわち、出金処理により出金されるべきバラ紙幣の金種毎の枚数が、出金されるべき全ての金種について、各金種別バラ紙幣収納部３４に収納されているバラ紙幣の金種毎の枚数以下である場合には（ＳＴＥＰ２３の「ＹＥＳ」）、バラ紙幣の振分処理が完了した後に出金処理が引き続き行われるようになる（ＳＴＥＰ２４）。
【００７８】
一方、振分処理が完了したときに、出金処理により出金されるべきバラ紙幣が全て各金種別バラ紙幣収納部３４に収納されていない場合には、すなわち、出金処理により出金されるべきバラ紙幣の金種毎の枚数について、出金されるべき少なくとも１つの金種について、金種別バラ紙幣収納部３４に収納されている当該金種のバラ紙幣の枚数よりも多い場合には（ＳＴＥＰ２３の「ＮＯ」）、金種別バラ紙幣収納部３４に収納されているバラ紙幣の在高が不足しており出金されるべきバラ紙幣を全て筐体１２の外部に払い出すことができないため、操作表示部３０２には図１１に示すような、金種別バラ紙幣収納部３４におけるバラ紙幣の在高が不足している旨のメッセージが表示されるとともに、「出金処理」「手払い」「割込装填処理」「取消」のうちいずれかの処理を操作者は操作表示部３０２により選択することができるようになる（ＳＴＥＰ２５）。ここで、「出金処理」を行うことが操作者によって操作表示部３０２により選択されると（ＳＴＥＰ２６の「ＹＥＳ」）、出金可能な金種のバラ紙幣のみ出金され、金種別バラ紙幣収納部３４の在高が不足している金種のバラ紙幣は手払いされる（ＳＴＥＰ２７）。この場合には、手払いされたバラ紙幣の情報（具体的には、金種毎の枚数や合計金額）を操作者が操作表示部３０２により手入力することにより、貨幣入出金機１の制御部３００においてこの手払いされたバラ紙幣の情報が管理されるようになる。また、図１１に示すような画面が操作表示部３０２に表示されているときに、「手払い」を行うことが操作者によって操作表示部３０２により選択されると（ＳＴＥＰ２８の「ＹＥＳ」）、出金可能な金種のバラ紙幣および金種別バラ紙幣収納部３４の在高が不足している金種のバラ紙幣の両方（すなわち、出金されるべき全てのバラ紙幣）が手払いされる（ＳＴＥＰ２９）。この場合にも、手払いされたバラ紙幣の情報は操作表示部３０２により操作者が手入力することにより、貨幣入出金機１の制御部３００においてこの手払いされたバラ紙幣の情報が管理されるようになる。また、図１１に示すような画面が操作表示部３０２に表示されているときに、「割込装填処理」を行うことが操作者によって操作表示部３０２により選択されると（ＳＴＥＰ３０の「ＹＥＳ」）、出金処理を中断して金種別バラ紙幣収納部３４にバラ紙幣を装填することができるようになる（ＳＴＥＰ３１）。具体的には、出金処理が中断された後、不足している金種のバラ紙幣を操作者が投入部１４に投入すると、投入部１４に投入されたバラ紙幣は繰出部１６により筐体１２の内部に繰り出されて識別部２０により識別された後に当該バラ紙幣の金種に対応する金種別バラ紙幣収納部３４に収納されるようになる。そして、バラ紙幣の割込装填処理が完了し、出金処理により出金されるべきバラ紙幣が全て各金種別バラ紙幣収納部３４に収納されている状態になると、出金処理が再開されるようになる。また、図１１に示すような画面が操作表示部３０２に表示されているときに、「取消」ボタンが操作者により押下されると（ＳＴＥＰ３２の「ＹＥＳ」）、割込出金処理を行うことが取り消され、中断されていた振分処理が再開されるようになる。
【００７９】
また、本実施の形態では、図８に示すような出金準備中である旨のメッセージが操作表示部３０２に表示されているときに（ＳＴＥＰ４）、振分処理が完了するまでの時間（すなわち、準備完了までの時間）が操作表示部３０２にリアルタイムで表示されるようになっている。このことにより、出金処理を続行するか否かを操作者が操作表示部３０２により選択する場合に、操作者は操作表示部３０２に表示される振分処理が完了するまでの時間を、振分処理を中断して出金処理を行うか否かの目安とすることができる。すなわち、操作表示部３０２に表示される振分処理が完了するまでの時間が比較的長い場合には、操作者にとって振分処理を中断して出金処理を行うことが望ましくなり、一方、操作表示部３０２に表示される振分処理が完了するまでの時間が比較的短い場合には、振分処理により出金されるべきバラ紙幣が全て金種別バラ紙幣収納部３４に収納される可能性があるため操作者にとって振分処理を先に行うことが望ましくなる。なお、操作表示部３０２に表示される、振分処理が完了するまでの時間は、入金一時保留部３０に保留されているバラ紙幣の枚数に基づいて算出されるようになっている。
【００８０】
なお、本実施の形態による貨幣入出金機１の紙幣入出金装置１０において割込出金処理が行われる際に、出金処理指令受付手段３２０により出金処理に係る指令が受け付けられたときに、出金処理により出金されるべきバラ紙幣が全て各金種別バラ紙幣収納部３４に収納されていない場合に（ＳＴＥＰ２の「ＮＯ」）、図８に示すような出金準備中である旨のメッセージが操作表示部３０２に表示される際に、以下に示すような処理が行われるようになっていてもよい。すなわち、出金処理により出金されるべきバラ紙幣が全て各金種別バラ紙幣収納部３４に収納されていない場合に、出金処理により出金されるべきバラ紙幣の金種毎の枚数と、金種別バラ紙幣収納部３４に収納されている金種毎のバラ紙幣の枚数および振分処理により金種別バラ紙幣収納部３４に送られるべき金種毎のバラ紙幣の枚数の合計とが比較されるようになっていてもよい。なお、振分処理により金種別バラ紙幣収納部３４に送られるべき金種毎のバラ紙幣の枚数は、図７（ａ）に示すようなバラ紙幣の入金処理が行われる際における識別部２０によるバラ紙幣の識別結果に基づいて制御部３００により管理されている。
【００８１】
そして、出金処理により出金されるべきバラ紙幣の金種毎の枚数が、金種別バラ紙幣収納部３４に収納されている金種毎のバラ紙幣の枚数および振分処理により金種別バラ紙幣収納部３４に送られるべき金種毎のバラ紙幣の枚数の合計以下である場合には、図８に示すような出金準備中である旨のメッセージが操作表示部３０２に表示される際に、振分処理を行った後では出金されるべきバラ紙幣を全て筐体１２の外部に払い出すことができる旨のメッセージが操作表示部３０２に表示されるようになる。一方、出金処理により出金されるべきバラ紙幣の金種毎の枚数が、金種別バラ紙幣収納部３４に収納されている金種毎のバラ紙幣の枚数および振分処理により金種別バラ紙幣収納部３４に送られるべき金種毎のバラ紙幣の枚数の合計よりも多い場合には、図８に示すような出金準備中である旨のメッセージが操作表示部３０２に表示される際に、振分処理を行った後でも出金されるべきバラ紙幣を全て筐体１２の外部に払い出すことができない旨のメッセージが操作表示部３０２に表示されるようになる。この場合には、図８に示すような操作表示部３０２の選択画面において「はい」のボタンが押下されることにより出金処理を行うことが選択されると、図１１に示すような選択画面が操作表示部３０２に表示されるようになり、このような選択画面において、「出金処理」「手払い」「割込装填」「取消」のうちいずれかの処理を操作者は操作表示部３０２により選択することができるようになる。
【００８２】
また、図８に示すような出金準備中である旨のメッセージが操作表示部３０２に表示されている間や、図８に示すような操作表示部３０２において「いいえ」のボタンが押下された後に、振分処理によって金種別バラ紙幣収納部３４にバラ紙幣が送られることによって振分処理が完了する前でも金種別バラ紙幣収納部３４に収納されているバラ紙幣の金種毎の枚数が出金されるべきバラ紙幣の金種毎の枚数以上になると振分処理が中断されて出金処理が行われるようになっていてもよい。
【００８３】
また、図９に示すような画面や図１１に示すような画面が操作表示部３０２に表示されているときに、「出金処理」を行うことが操作者によって操作表示部３０２により選択された場合に（ＳＴＥＰ７の「ＹＥＳ」、ＳＴＥＰ２６の「ＹＥＳ」）、出金可能な金種のバラ紙幣のみ出金され、金種別バラ紙幣収納部３４の在高が不足している金種のバラ紙幣が手払いされる代わりに、「あるだけ出金処理」が行われるようになっていてもよい。ここで、「あるだけ出金処理」とは、各金種別バラ紙幣収納部３４に収納されているバラ紙幣のうち出金されるべきバラ紙幣を全て筐体１２の外部に払い出し、不足しているバラ紙幣のみについて手払いを行うような処理のことをいう。このような「あるだけ出金処理」では、金種別バラ紙幣収納部３４の在高が不足している金種のバラ紙幣についても、手払い分を含めると、金種別バラ紙幣収納部３４に収納されているバラ紙幣は全て筐体１２の外部に払い出されるようになる。
【００８４】
また、本実施の形態の貨幣入出金機１では、紙幣入出金装置１０における紙幣の出金処理および硬貨入出金装置１１０における硬貨の出金処理を並行して行うことができるようになっていてもよい。この際に、紙幣入出金装置１０において図７（ｂ）に示すようなバラ紙幣の振分処理が行われている途中で、出金処理の指令が出金処理指令受付手段３２０により受け付けられると、紙幣入出金装置１０において紙幣の割込出金処理が行われるとともに硬貨入出金装置１１０において硬貨の出金処理が並行して行われるようになっていてもよい。
【００８５】
以上のような構成からなる本実施の形態の貨幣入出金機１（貨幣処理装置）およびこのような貨幣入出金機１による貨幣処理方法によれば、出金処理指令受付手段３２０により出金処理に係る指令が受け付けられたときに、制御部３００は、一時保留部（具体的には、入金一時保留部３０）から貨幣収納部（具体的には、各金種別バラ紙幣収納部３４）にバラ紙幣を移し替える収納処理（具体的には、各金種別バラ紙幣収納部３４にバラ紙幣を金種毎に振り分ける振分処理）を行っているか否かにかかわらず、金種別バラ紙幣収納部３４からバラ紙幣を搬送部１８に繰り出して払出部（具体的には、バラ紙幣投出部２４等）により払い出すような出金処理を行うことができるよう紙幣入出金装置１０の各構成部材の制御を行うようになっている。このように、出金処理に係る指令が受け付けられたときに収納処理を行っているか否かにかかわらず出金処理を行うことができるため、紙幣の出金処理を行おうとする操作者は収納処理が終了するまで待つ必要がなくなり、操作者にとっての利便性を向上させることができる。
【００８６】
より詳細には、従来の貨幣入出金機では、バラ紙幣の入金処理を行う際に、投入部により筐体の内部に投入されたバラ紙幣は識別部により識別された後に一時保留部に一時的に保留され、投入部により全てのバラ紙幣が筐体の内部に投入されて一時保留部に送られた後、操作者が入金確定の指令を入力すると一時保留部からバラ紙幣が繰り出されて金種別収納部に金種毎に移し替えられるようになっていたが、一時保留部から金種別収納部にバラ紙幣を金種毎に移し替える収納処理が行われている間は、入金処理を行った操作者または別の操作者はバラ紙幣の出金処理を行うことができず、バラ紙幣の出金処理を行おうとする操作者は収納処理が終了するまで待たなければならないため不便であるという問題があった。これに対し、本実施の形態の貨幣入出金機１では、出金処理に係る指令が受け付けられたときに収納処理を行っているか否かにかかわらず出金処理を行うことができるため、このような従来の貨幣入出金機の問題を解決することができる。
【００８７】
また、本実施の形態の貨幣入出金機１においては、上述したように、金種別バラ紙幣収納部３４に収納されているバラ紙幣の金種毎の枚数が記憶部３０６に記憶されるようになっており、制御部３００は、出金処理指令受付手段３２０により出金処理に係る指令が受け付けられたときに、出金処理により出金されるべきバラ紙幣の金種毎の枚数が、出金されるべき全ての金種について、記憶部３０６に記憶されている、金種別バラ紙幣収納部３４に収納されているバラ紙幣の金種毎の枚数以下である場合に、収納処理を中断して出金処理を行うようになっている。
【００８８】
この場合、制御部３００は、出金処理指令受付手段３２０により出金処理に係る指令が受け付けられたときに、出金処理により出金されるべきバラ紙幣の金種毎の数のうち少なくとも１つの金種の数が、記憶部３０６に記憶されている、金種別バラ紙幣収納部３４に収納されているバラ紙幣の当該金種の数よりも多い場合に（ＳＴＥＰ２の「ＮＯ」）、収納処理を中断して出金処理を行うか否かを操作者に選択させるようになっている（ＳＴＥＰ５）。具体的には、図８に示すような選択画面が操作表示部３０２に表示されるようになっている。また、図８に示すように、制御部３００は、収納処理を中断して出金処理を行うか否かを操作者に選択させる際に、収納処理が終了するまでの時間を報知するようになっている。
【００８９】
また、本実施の形態の貨幣入出金機１においては、上述したように、制御部３００は、収納処理を中断して出金処理を行うことを操作者が選択した場合には（ＳＴＥＰ５の「ＹＥＳ」）、出金されるべきバラ紙幣の出金方法を更に操作者に選択させるようになっている。具体的には、図９に示すような選択画面が操作表示部３０２に表示されるようになっており、このような選択画面において、「出金処理」「手払い」「取消」のうちいずれかの処理を操作者は操作表示部３０２により選択することができるようになる（ＳＴＥＰ６）。
【００９０】
また、本実施の形態の貨幣入出金機１においては、上述したように、制御部３００は、出金処理指令受付手段３２０により出金処理に係る指令が受け付けられたときに、出金処理により出金されるべきバラ紙幣の金種毎の数のうち少なくとも１つの金種の数が、記憶部３０６に記憶されている、金種別バラ紙幣収納部３４に収納されているバラ紙幣の当該金種の数および収納処理により金種別バラ紙幣収納部３４に移し替えられるべきバラ紙幣の当該金種の数の合計よりも多い場合に、出金されるべきバラ紙幣の出金方法を操作者に選択させるようになっていてもよい。具体的には、この場合には、図１１に示すような選択画面が操作表示部３０２に表示されるようになっており、このような選択画面において、「出金処理」「手払い」「割込装填」「取消」のうちいずれかの処理を操作者は操作表示部３０２により選択することができるようになる。
【００９１】
なお、本実施の形態による貨幣入出金機１やこのような貨幣入出金機１による貨幣処理方法は、上述したような態様に限定されることはなく、様々な変更を加えることができる。
【００９２】
例えば、本発明に係る貨幣処理装置は、紙幣入出金装置１０および硬貨入出金装置１１０を組み合わせた貨幣入出金機１に限定されることはない。本発明に係る貨幣処理装置として、紙幣入出金装置１０が単体で用いられてもよく、あるいは硬貨入出金装置１１０が単体で用いられてもよい。紙幣入出金装置１０が単体で用いられる場合には、上記の機能を果たす制御部３００や出金処理指令受付手段３２０が紙幣入出金装置１０の筐体１２の内部に設けられるようになる。
【００９３】
また、上述した貨幣入出金機１および上位端末等の外部装置３１０を組み合わせることにより本発明に係る貨幣処理システムが構成されるようになっていてもよい。この場合には、上位端末等の外部装置３１０は、貨幣入出金機１の管理を行う管理装置として機能するようになる。また、上記の説明では、貨幣入出金機１に設けられた出金処理指令受付手段３２０により出金処理に係る指令を受け付けるようになっており、また、出金処理指令受付手段３２０により出金処理に係る指令が受け付けられたときに、入金一時保留部３０から金種別バラ紙幣収納部３４にバラ紙幣を移し替える収納処理を行っているか否かにかかわらず、金種別バラ紙幣収納部３４からバラ紙幣を搬送部１８に繰り出して払出部（具体的には、バラ紙幣投出部２４等）により筐体１２の外部に払い出すような出金処理を行うことができるよう、貨幣入出金機１に設けられた制御部３００が紙幣入出金装置１０の各構成部材の制御を行う態様について述べたが、本発明に係る貨幣処理システムでは、上記の機能を果たす出金処理指令受付手段および制御部のうち少なくともいずれか一方または両方が貨幣入出金機１に設けられる代わりに管理装置としての外部装置３１０に設けられるようになっていてもよい。
【００９４】
また、上述した紙幣入出金装置１０において、本発明に係る貨幣収納部として、バラ紙幣を金種毎に収納する複数の金種別バラ紙幣収納部３４を用いる代わりに、複数の金種のバラ紙幣を混合状態で収納するようなバラ紙幣収納部が用いられてもよい。この場合には、本発明に係る貨幣収納部としてのバラ紙幣収納部の数が１つであってもよい。また、上述した紙幣入出金装置１０において、本発明に係る一時保留部や貨幣収納部として、バラ紙幣がテープによりドラムに巻き取られることによって当該バラ紙幣が収納されるテープ巻取方式のものが用いられてもよい。
【００９５】
また、硬貨入出金装置１１０において、各収納繰出部１５２に収納される前のバラ硬貨が１つの入金一時保留部に保留され、入金確定の指令が制御部３００に与えられるとこの入金一時保留部から収納繰出部１５２にバラ硬貨が移し替えられるようになっている場合には、上述した本発明の原理を硬貨入出金装置１１０にも適用することができるようになっている。すなわち、出金処理指令受付手段３２０により硬貨の出金処理に係る指令が受け付けられたときに、制御部３００は、硬貨入出金装置１１０に設けられた入金一時保留部から収納繰出部１５２にバラ硬貨を移し替える収納処理を行っているか否かにかかわらず、収納繰出部１５２からバラ硬貨をコンベア１５４に繰り出して払出部（具体的には、出金箱１９０）により筐体１１２の外部に払い出すような出金処理を行うことができるよう硬貨入出金装置１１０の各構成部材の制御を行うようになる。この場合には、硬貨入出金装置１１０でも、硬貨の出金処理に係る指令が受け付けられたときに収納処理を行っているか否かにかかわらず出金処理を行うことができるため、硬貨の出金処理を行おうとする操作者は収納処理が終了するまで待つ必要がなくなり、操作者にとっての利便性を向上させることができる。
【符号の説明】
【００９６】
１        貨幣入出金機
１０      紙幣入出金装置
１２      筐体
１２ａ    下部扉
１３      引出ユニット
１４      投入部
１６      繰出部
１８      搬送部
２０      識別部
２２      表裏反転部
２４      バラ紙幣投出部
２４ａ    シャッター
２４ｂ    シャッター駆動部
２６      出金リジェクト部
３０      入金一時保留部
３０ａ    ステージ
３０ｂ    紙幣繰出繰入部
３２      混合バラ紙幣収納部
３２ａ    ステージ
３２ｂ    紙幣繰入部
３４      金種別バラ紙幣収納部
３４ａ    ステージ
３４ｂ    紙幣繰出繰入部
４０      整理一時保留部
４２      帯封部
４４      アーム機構
４６      帯封紙幣揚送部
４６ａ    ステージ
４８      帯封紙幣投出部
４８ａ    シャッター
４８ｂ    シャッター駆動部
６０      帯封紙幣搬送部
６０ａ    突起
６０ｂ    循環ベルト
６２      判別部
７０      帯封紙幣収納部
７０ａ    ステージ
１１０    硬貨入出金装置
１１２    筐体
１１４、１１５  前扉
１２０    入金繰出部
１２１    硬貨投入口
１２２    供給円盤
１２４    回転円盤
１２８    入金搬送部
１２９    入金識別部
１３０    リジェクト選別部
１３１    入金リジェクト用シュート
１３４    任意選別部
１３６    金種別選別部
１３８    入金リジェクト部
１４０    入金一時保留部
１４２    任意一時保留部
１４４    金種別一時保留部
１４４ａ〜１４４ｆ  保留領域
１４５    第１駆動機構
１４６    底部材
１４７    第２駆動機構
１５０    排出部
１５０ａ  返却箱
１５２    収納繰出部
１５２ａ〜１５２ｆ  収納領域
１５２ｐ  硬貨繰出部
１５４    コンベア
１５５    出金識別部
１５６    出金リジェクト箱
１５８    出金用シュート
１６０    包装部
１６２    回転円盤
１６８    包装機構
１６８ａ  包装ローラ
１７０    シュート機構
１７２    上部シュート
１７４    貯留用シュート
１７４ａ  排出側開口
１７５    貯留袋
１７６    包装用シュート
１７８    分岐部材
１９０    出金箱
１９０ａ  取っ手
１９２    シャッタ部材
１９４    出金リジェクト用シュート
１９８    バラ硬貨一括収納箱
２００    包装硬貨収納ユニット
２１０    包装硬貨搬送ユニット
２１８、２１９、２２０  分岐部材
２３０    包装硬貨出金部
２３２    包装硬貨一括収納箱
２３６    包装硬貨投出部
３００    制御部
３０２    操作表示部
３０４    印字部
３０６    記憶部
３０８    通信インターフェース部
３１０    外部装置
３２０    出金処理指令受付手段
【図１】
0006663755.tif 000002
【図２】
0006663755.tif 000003
【図３】
0006663755.tif 000004
【図４】
0006663755.tif 000005
【図５】
0006663755.tif 000006
【図６】
0006663755.tif 000007
【図７】
0006663755.tif 000008
【図８】
0006663755.tif 000009
【図９】
0006663755.tif 000010
【図１０】
0006663755.tif 000011
【図１１】
0006663755.tif 000012